(57)【要約】【課題】ユーザの利用する個人情報端末を識別して、当該ユーザが必要とする録画予約情報だけを当該ユーザに認識させることを容易に行う。【解決手段】録画装置１は、録画装置１と通信可能な個人情報端末２から録画予約情報または録画予約情報を決定するための指示を示す録画予約指示情報を受信する装置送受信部１１と、装置送受信部１１が受信した録画予約情報または録画予約指示情報により決定される録画予約情報に対して、個人情報端末２を識別するための端末識別情報を設定し、端末識別情報と録画予約情報とを対応付けて管理する装置情報管理部１２２と、を備えている。【選択図】図１
2010028476.tif 000002
【特許請求の範囲】
【請求項１】
番組を予約記録するための予約情報に基づいて該番組を記録する記録装置であって、
自装置と通信可能な情報端末から上記予約情報または上記予約情報を決定するための指示を示す予約指示情報を受信する装置受信手段と、
上記装置受信手段が受信した予約情報または上記予約指示情報により決定される予約情報に対して、上記情報端末を識別するための端末識別情報を設定する設定手段と、
上記設定手段が設定した端末識別情報と上記予約情報とを対応付けて管理する装置管理手段と、を備えたことを特徴とする記録装置。
【請求項２】
上記装置受信手段が上記予約情報または上記予約指示情報と共に、上記設定手段によって設定された上記端末識別情報を上記情報端末から受信したか否かを判定する受信判定手段を、さらに備え、
上記設定手段は、上記受信判定手段が上記端末識別情報を受信していないと判定した場合に、上記装置受信手段が受信した予約情報または上記予約指示情報により決定される予約情報に対して未使用の端末識別情報を設定し、当該端末識別情報を上記情報端末に送信することを特徴とする請求項１に記載の記録装置。
【請求項３】
上記装置管理手段は、上記記録装置を示す固有の情報である装置識別情報の送信指示を上記情報端末から受信した場合には、該装置識別情報を該情報端末に送信することを特徴とする請求項１または２に記載の記録装置。
【請求項４】
上記装置管理手段は、上記装置受信手段がユーザが書き換え不可能な上記情報端末を示す固有の情報である端末固有情報を受信した場合には、該端末固有情報を上記端末識別情報として上記予約情報と対応付けて管理することを特徴とする請求項１〜３のいずれか１項に記載の記録装置。
【請求項５】
上記情報端末は携帯電話機であり、
上記装置受信手段が受信する上記端末固有情報が、上記情報端末の電話番号であることを特徴とする請求項１〜４のいずれか１項に記載の記録装置。
【請求項６】
上記装置管理手段は、上記端末固有情報を暗号化して管理することを特徴とする請求項４または５に記載の記録装置。
【請求項７】
上記装置管理手段は、上記装置受信手段が上記情報端末を利用するユーザに関する情報である個人識別情報を受信した場合には、該個人識別情報と上記予約情報とを対応付けて管理することを特徴とする請求項１〜６のいずれか１項に記載の記録装置。
【請求項８】
上記装置管理手段は、上記予約情報を上記端末識別情報毎に自装置に接続された表示装置に表示させることを特徴とする請求項１〜７のいずれか１項に記載の記録装置。
【請求項９】
番組を予約記録するための予約情報に基づいて該番組を記録する記録装置の制御方法であって、
自装置と通信可能な情報端末から上記予約情報または上記予約情報を決定するための指示を示す予約指示情報を受信する装置受信ステップと、
上記装置受信ステップにて受信した予約情報または上記予約指示情報により決定される予約情報に対して、上記情報端末を識別するための端末識別情報を設定する設定ステップと、
上記端末識別情報と上記予約情報とを対応付けて管理する装置管理ステップと、を含むことを特徴とする記録装置の制御方法。
【請求項１０】
請求項１〜８のいずれか１項に記載の記録装置と通信可能な情報端末であって、
上記記録装置に送信するための、上記予約情報または上記予約情報を決定させるための指示を示す予約指示情報を、ユーザの入力操作によって取得する入力手段と、
上記記録装置によって設定された端末識別情報を受信する端末受信手段と、
上記端末受信手段が受信した上記端末識別情報と、上記入力手段が取得した上記予約情報または上記予約指示情報とを上記記録装置に送信するように管理する端末管理手段と、を備えたことを特徴とする情報端末。
【請求項１１】
上記端末管理手段は、上記記録装置を示す固有の情報である装置識別情報の送信指示に対する装置識別情報を送信した上記記録装置に対して、上記予約情報または上記予約指示情報を送信することを特徴とする請求項１０に記載の情報端末。
【請求項１２】
上記端末管理手段は、ユーザが書き換え不可能な自端末を示す固有の情報である端末固有情報を有している場合には、該端末固有情報を上記記録装置に送信するように管理することを特徴とする請求項１０または１１に記載の情報端末。
【請求項１３】
上記端末固有情報として電話番号を有する携帯電話機であることを特徴とする請求項１１に記載の情報端末。
【請求項１４】
上記端末管理手段は、上記入力手段が上記情報端末を利用するユーザに関する情報である個人識別情報を取得した場合には、該個人識別情報を上記記録装置に送信するように管理することを特徴とする請求項１０〜１３のいずれか１項に記載の情報端末。
【請求項１５】
上記請求項１〜８のいずれか１項に記載の記録装置と、
上記請求項１０〜１４のいずれか１項に記載の情報端末と、を備えたことを特徴とする情報通信システム。
【請求項１６】
コンピュータを請求項１〜８のいずれか１項に記載の記録装置の各手段として機能させるための記録装置の制御プログラム。
【請求項１７】
請求項１６に記載の記録装置の制御プログラムを記録したコンピュータ読取可能な記録媒体。
【発明の詳細な説明】
【技術分野】
【０００１】
本発明は、ユーザが必要とする予約情報だけを当該ユーザに認識させることを容易に行うことが可能な記録装置、記録装置の制御方法、情報端末、情報通信システム、記録装置の制御プログラム、および記録媒体に関する。
【背景技術】
【０００２】
近年、番組等の記録にハードディスクやＤＶＤ等の大容量の記録媒体を用いた録画装置の利用が実現されており、当該番組等を多数記録しておくことが可能である。また、今後は、さらに大容量の記録媒体であるＢｌｕ−ｒａｙ  Ｄｉｓｃ（登録商標）などを用いた記録装置の利用が実現されるものと考えられ、録画装置にはより多数の番組等を記録しておくことが可能となる。
【０００３】
上述のように、大容量の記録媒体を用いた録画装置は、多数の番組を記録することが可能である。このため、ユーザが記録済みの番組を再生する場合に、多数記録された番組のうちから所望の番組を選択する必要がある。ここで、上記録画装置が記録済みの番組を分類することなく記録する場合には、記録済みの番組が増えると、それだけ所望の番組を選択しにくくなる。
【０００４】
また、例えば家庭内にて録画装置が用いられる場合には、当該録画装置を複数のユーザで利用する可能性がある。この場合には、あるユーザが記録した番組と他のユーザが記録した番組とが混在した状態で記録されることになるので、特定のユーザが所望の番組を選択することがさらに困難になる。
【０００５】
そこで、多数の番組を記録することが可能な録画装置を複数のユーザで利用した場合であっても、ユーザが記録済みの番組の選択を行うことが可能な大容量の記録媒体を用いた録画装置が、例えば特許文献１、２に開示されている。
【０００６】
特許文献１には、録画コンテンツとユーザ（予約者）との対応付けを行うことにより、記録される番組数や使用人数が多くなっても各ユーザが自ら記録した番組を選択することが可能な光ディスク記録再生装置が開示されている。具体的には、光ディスク記録再生装置は、番組の記録を行うユーザを識別する使用者識別情報を各番組情報と共に記録することによってユーザの選択を行う。これにより、光ディスク記録再生装置は、選択された使用者が記録した番組を再生もしくは削除することを可能となる。
【０００７】
また、上記光ディスク記録再生装置は、ユーザのみにしか判らない固有情報と照合を行ってから、番組の記録、再生、削除を行うことにより、他のユーザによる番組の記録、再生、削除を制限することができる。
【０００８】
さらに、特許文献２には、多くの記録済み番組の中から目的の番組を探し出すことが可能な番組記録装置が開示されている。具体的には、番組記録装置は、ユーザが記録したい番組のうち既に記録された番組に係る番組情報と、ユーザ自身を識別するための識別情報（例えばメールアドレス）とを対応付けると共にこれらの情報をマトリクス状に並べることによって記録番組表を作成し、当該記録番組表を表示機器に表示させる。これにより、ユーザは、この記録番組表を参照することによって、多くの記録済み番組の中から目的の番組を探し出すことができる。
【０００９】
ここで、特許文献２には、上記番組記録装置で用いられるユーザの識別情報として、メールアドレスの他にも、氏名またはニックネームのような各ユーザを識別可能な情報が挙げられている。また、特許文献２には、番組記録装置がユーザの識別情報を受け付ける方法として、自装置、リモコンまたは携帯端末（例えば携帯電話機）に、予約機能を有する操作部を介して入力する方法が挙げられている。なお、ユーザがリモコンまたは携帯端末を用いて上記入力を行った場合、入力した情報（ユーザの識別情報）は、赤外線通信にて当該携帯端末から番組記録装置に送信される。
【特許文献１】特開２００３−１４１８５１号公報（平成１５年５月１６日公開）
【特許文献２】特開２００６−２２９７８０号公報（平成１８年８月３１日公開）
【発明の開示】
【発明が解決しようとする課題】
【００１０】
しかしながら、特許文献１、２の技術では、録画コンテンツとユーザとの対応付けを行っているが、この対応付けを行うために、ユーザを識別するための使用者識別情報（識別情報）を操作部を介して取得している。すなわち、特許文献１、２では、上記対応付けを行うための識別情報を作成するために、記録装置に備えられた操作部を介してのユーザの入力操作を取得する必要があるという問題が生じる。
【００１１】
例えば特許文献２の技術では、識別情報として通信可能な外部の電子機器のメールアドレスを取得しているが、この場合には、当該メールアドレスを入力するために時間がかかってしまうと共に、ユーザに煩雑な操作を行わせるといった問題が生じる。
【００１２】
すなわち、特許文献１、２の技術では、ユーザを識別するための識別情報を、ユーザ自らの入力によって取得する構成であるため、上記光ディスク記録再生装置および番組記録装置が識別情報を取得するのにユーザに何らかの操作を行わせる必要があるという問題が生じる。
【００１３】
なお、特許文献２の番組記録装置で用いられるメールアドレスは、例えば携帯端末に記録が終了した旨の内容を示す電子メール、または当該内容と共に記録した番組を添付した電子メールを、当該携帯端末側で受信するために使用されるものである。すなわち、ここで用いられるメールアドレスは、番組記録装置が携帯端末を識別するために用いられていることを想定していない。
【００１４】
本発明は、上記問題点に鑑みてなされたものであり、その目的は、ユーザが必要とする予約情報だけを当該ユーザに認識させることを容易に行うことが可能な記録装置、記録装置の制御方法、情報端末、情報通信システム、記録装置の制御プログラム、および記録媒体を提供するものである。
【課題を解決するための手段】
【００１５】
本発明に係る記録装置は、上記課題を解決するため、番組を予約記録するための予約情報に基づいて該番組を記録する記録装置であって、自装置と通信可能な情報端末から上記予約情報または上記予約情報を決定するための指示を示す予約指示情報を受信する装置受信手段と、上記装置受信手段が受信した予約情報または上記予約指示情報により決定される予約情報に対して、上記情報端末を識別するための端末識別情報を設定する設定手段と、上記設定手段が設定した端末識別情報と上記予約情報とを対応付けて管理する装置管理手段と、を備えたことを特徴とする。
【００１６】
本発明に係る記録装置の制御方法は、上記課題を解決するため、番組を予約記録するための予約情報に基づいて該番組を記録する記録装置の制御方法であって、自装置と通信可能な情報端末から上記予約情報または上記予約情報を決定するための指示を示す予約指示情報を受信する装置受信ステップと、上記装置受信ステップにて受信した予約情報または上記予約指示情報により決定される予約情報に対して、上記情報端末を識別するための端末識別情報を設定する設定ステップと、上記端末識別情報と上記予約情報とを対応付けて管理する装置管理ステップと、を含むことを特徴とする。
【００１７】
上記構成によれば、記録装置では、設定手段は、装置受信手段が受信した予約情報または予約指示情報により決定した予約情報に対して端末識別情報を設定する。すなわち、設定手段は、予約情報に対して端末識別情報を設定することによって、予約情報または予約指示情報を送信した情報端末に対して端末識別情報を設定する。そして、装置管理手段は、受信または設定した端末識別情報と予約情報とを対応付けて管理する。
【００１８】
これにより、記録装置は、番組の予約を行うユーザまたは当該ユーザが利用する情報端末に関する情報を、当該情報端末に対するユーザの入力操作によって取得させることなく、ユーザが予約した番組の予約情報だけを、例えば記録装置に接続された表示装置に表示させることができる。すなわち、記録装置は、情報端末を利用して番組の予約を行うユーザに記録予約の指示以外の操作を行わせる必要がないため、当該ユーザが必要とする予約情報だけを当該ユーザに認識させることを容易に行うことができる。なお、記録装置と通信可能な情報端末は、携帯電話機やＰＤＡなどを指し、通常、特定の個人が単独で使用することを想定している。
【００１９】
さらに、本発明に係る記録装置は、上記装置受信手段が上記予約情報または上記予約指示情報と共に、上記設定手段によって設定された上記端末識別情報を上記情報端末から受信したか否かを判定する受信判定手段を、さらに備え、上記設定手段は、上記受信判定手段が上記端末識別情報を受信していないと判定した場合に、上記装置受信手段が受信した予約情報または上記予約指示情報により決定される予約情報に対して未使用の端末識別情報を設定し、当該端末識別情報を上記情報端末に送信してもよい。
【００２０】
上記構成によれば、設定手段は、受信判定手段が予約情報または予約指示情報と共に端末識別情報を受信していないと判定した場合に、予約情報に対して未使用の端末識別情報を設定し、当該端末識別情報を情報端末に送信する。これにより、記録装置は、予約情報または予約指示情報と共に端末識別情報を送信しない情報端末に対しても端末識別情報を確実に設定することができる。なお、未使用の端末識別情報とは、記録装置に保存されている端末識別情報のうち、設定手段が予約情報に対する端末識別情報の設定に使用していない端末識別情報を指す。
【００２１】
さらに、本発明に係る記録装置は、上記装置管理手段は、上記記録装置を示す固有の情報である装置識別情報の送信指示を上記情報端末から受信した場合には、該装置識別情報を該情報端末に送信してもよい。
【００２２】
上記構成によれば、記録装置は、情報端末からの送信指示を受信した場合には、装置識別情報を当該情報端末に送信する。これにより、記録装置は、情報端末に対して通信可能であることを認識させることができる。すなわち、情報端末は、通信可能な記録装置を認識することができるため、例えば複数台の記録装置に対して、予約情報または予約指示情報を送信することができる。従って、ユーザは、１つの情報端末を利用して、通信可能な複数の記録装置に対する記録予約の指示を行うことができる。
【００２３】
さらに、本発明に係る記録装置は、上記装置管理手段は、上記装置受信手段がユーザが書き換え不可能な上記情報端末を示す固有の情報である端末固有情報を受信した場合には、該端末固有情報を上記端末識別情報として上記予約情報と対応付けて管理してもよい。
【００２４】
上記構成によれば、記録装置は、情報端末にユーザが書き換え不可能な端末固有情報が与えられている場合には、当該情報端末から当該端末固有情報を受信し、当該端末固有情報を端末識別情報として管理する。
【００２５】
これにより、記録装置は、端末固有情報を受信した場合に端末識別情報を受信したと判定することによって、番組の予約を行うユーザまたは当該ユーザが利用する情報端末に関する情報を、当該情報端末に対するユーザの入力操作によって取得させることなく、ユーザが予約した番組の予約情報だけを例えば記録装置に接続された表示装置に表示させることができる。
【００２６】
また、記録装置は、端末固有情報を受信した場合に端末識別情報を受信したと判定することによって、情報端末に端末識別情報を設定し、当該端末識別情報を送信しなくても、当該情報端末と予約情報とを対応付けて管理することができる。すなわち、記録装置は、端末識別情報を設定し、当該端末識別情報を情報端末に送信する構成を省略することができるため、構成の簡略化を図ることができる。
【００２７】
さらに、本発明に係る記録装置は、上記情報端末は携帯電話機であり、上記装置受信手段が受信する上記端末固有情報が、上記情報端末の電話番号であってもよい。
【００２８】
上記構成によれば、情報端末が携帯電話機によって実現されている。ここで、携帯電話機には、端末固有情報として電話番号が与えられている。これにより、記録装置は、ユーザが情報端末に対して端末固有情報を付与する必要のない電話番号を受信して、当該電話番号を端末識別情報として受信したと判定することができる。
【００２９】
さらに、本発明に係る記録装置は、上記装置管理手段は、上記端末固有情報を暗号化して管理してもよい。
【００３０】
上記構成によれば、記録装置は、情報端末として携帯電話機を利用するユーザにとって機密性の高い個人情報の１つである電話番号を暗号化して保存するため、例えばユーザが当該記録装置を廃棄処分する場合等に、当該電話番号が外部に漏洩することを未然に防ぐことができる。
【００３１】
さらに、本発明に係る記録装置は、上記装置管理手段は、上記装置受信手段が上記情報端末を利用するユーザに関する情報である個人識別情報を受信した場合には、該個人識別情報と上記予約情報とを対応付けて管理してもよい。
【００３２】
上記構成によれば、記録装置は、個人識別情報を受信した場合には、当該個人識別情報を予約情報と対応付けて管理する。このため、記録装置は、例えば異なる情報端末によって設定された予約情報であっても、同一の個人識別情報と対応付けられた予約情報であれば、当該予約情報すべてを、例えば記録装置に接続された表示装置に表示させることができる。
【００３３】
従って、ユーザは、例えば複数台の情報端末を用いて番組の予約を行った場合であっても、自分が予約した番組が上記表示装置に表示されるため、当該予約した番組を容易に認識することができる。
【００３４】
さらに、本発明に係る情報端末は、上記装置管理手段は、上記予約情報を上記端末識別情報毎に自装置に接続された表示装置に表示させてもよい。
【００３５】
上記構成によれば、装置管理手段は、受信または設定した端末識別情報と予約情報とを対応付けて管理すると共に、当該予約情報を当該端末識別情報毎に表示装置に表示させることができる。すなわち、番組の予約を行うユーザまたは当該ユーザが利用する情報端末に関する情報を、当該情報端末に対するユーザの入力操作によって取得させることなく、ユーザが予約した番組の予約情報だけを表示装置に表示させることができる。
【００３６】
これにより、ユーザは、記録装置に接続された表示装置の表示を視認することにより、情報端末に対して記録予約の指示以外の操作を行うことなく、必要とする予約情報を認識することができる。
【００３７】
なお、情報端末と表示装置とは、例えばケーブル等によって直接接続されているが、これ限られたものではなく、例えばハブを介したネットワーク接続となっていてもよい。
【００３８】
さらに、本発明に係る情報端末は、上記記載の記録装置と通信可能な情報端末であって、上記記録装置に送信するための、上記予約情報または上記予約情報を決定させるための指示を示す予約指示情報を、ユーザの入力操作によって取得する入力手段と、上記記録装置によって設定された端末識別情報を受信する端末受信手段と、上記端末受信手段が受信した上記端末識別情報と、上記入力手段が取得した上記予約情報または上記予約指示情報とを上記記録装置に送信するように管理する端末管理手段と、を備えたことを特徴とする。
【００３９】
上記構成によれば、情報端末では、端末管理手段は、端末受信手段が受信した端末識別情報を、入力手段が取得した予約情報または予約指示情報と共に記録装置に送信するように管理する。これにより、記録装置は、受信した端末識別情報と予約情報とを対応付けて管理することができる。
【００４０】
これにより、情報端末は、番組の予約を行うユーザまたは当該ユーザが利用する当該情報端末に関する情報を、ユーザの入力操作によって取得して記録装置に送信しなくても、ユーザが予約した番組の予約情報だけを、例えば記録装置に接続された表示装置に表示させることができる。
【００４１】
さらに、本発明に係る情報端末は、上記端末管理手段は、上記記録装置を示す固有の情報である装置識別情報の送信指示に対する装置識別情報を送信した上記記録装置に対して、上記予約情報または上記予約指示情報を送信してもよい。
【００４２】
上記構成によれば、情報端末は、記録装置から装置識別情報を受信することにより、通信可能な記録装置を認識することができる。このため、情報端末は、例えば複数台の記録装置に対して、予約情報または予約指示情報を送信することができる。これにより、ユーザは、１つの情報端末を利用して、通信可能な複数の記録装置に対する記録予約の指示を行うことができる。
【００４３】
さらに、本発明に係る情報端末は、上記端末管理手段は、ユーザが書き換え不可能な自端末を示す固有の情報である端末固有情報を有している場合には、該端末固有情報を上記記録装置に送信するように管理してもよい。
【００４４】
上記構成によれば、端末管理手段は、端末固有情報を有している場合には、当該端末固有情報を記録装置に送信する。記録装置は、端末固有情報を受信すると端末識別情報を受信したと判定する。
【００４５】
これにより、情報端末は、端末固有情報を記録装置に送信する場合であっても、番組の予約を行うユーザまたは当該ユーザが利用する当該情報端末に関する情報を、ユーザの入力操作によって取得して当該記録装置に送信しなくても、ユーザが予約した番組の予約情報だけを、例えば記録装置に接続された表示装置に表示させることができる。
【００４６】
さらに、本発明に係る情報端末は、上記端末固有情報として電話番号を有する携帯電話機であってもよい。
【００４７】
上記構成によれば、情報端末が携帯電話機によって実現されている。ここで、携帯電話機には、端末固有情報として電話番号が与えられている。これにより、情報端末は、上記電話番号を記録装置に送信するため、ユーザが端末固有情報を付与するというユーザの手間を省くことができる。
【００４８】
さらに、本発明に係る情報端末は、上記端末管理手段は、上記入力手段が上記情報端末を利用するユーザに関する情報である個人識別情報を取得した場合には、該個人識別情報を上記記録装置に送信するように管理してもよい。
【００４９】
上記構成によれば、情報端末は、入力手段が取得した個人識別情報を記録装置に送信する。このため、個人識別情報を受信した記録装置は、例えば異なる情報端末によって設定された予約情報であっても、同一の個人識別情報と対応付けられた予約情報であれば、当該予約情報すべてを、例えば記録装置に接続された表示装置に表示させることができる。
【００５０】
これにより、ユーザは、例えば複数台の情報端末を用いて番組の予約を行った場合であっても、自分が予約した番組が上記表示装置に表示されるため、当該予約した番組を容易に認識することができる。
【００５１】
さらに、本発明に係る情報通信システムは、上記記載の記録装置と、上記記載の情報端末と、を備えたことを特徴とする。
【００５２】
上記情報通信システムでは、記録装置は、番組の予約を行うユーザまたは当該ユーザが利用する情報端末に関する情報を、当該情報端末に対するユーザの入力操作によって取得させることなく、ユーザが予約した番組の予約情報だけを、例えば記録装置に接続された表示装置に表示させることができる。すなわち、記録装置は、情報端末を利用して番組の予約を行うユーザに記録予約の指示以外の操作を行わせる必要がないため、当該ユーザが必要とする予約情報だけを当該ユーザに認識させることを容易に行うことができる。
【００５３】
一方、情報端末は、番組の予約を行うユーザまたは当該ユーザが利用する当該情報端末に関する情報を、ユーザの入力操作によって取得して記録装置に送信しなくても、ユーザが予約した番組の予約情報だけを上記表示装置に表示させることができる。
【００５４】
なお、上記記録装置は、コンピュータによって実現してもよく、この場合には、コンピュータを上記各手段として動作させることにより上記記録装置をコンピュータにて実現させる記録装置の制御プログラム、およびそれを記録したコンピュータ読み取り可能な記録媒体も、本発明の範疇に入る。
【発明の効果】
【００５５】
本発明に係る記録装置は、以上のように、番組を予約記録するための予約情報に基づいて該番組を記録する記録装置であって、自装置と通信可能な情報端末から上記予約情報または上記予約情報を決定するための指示を示す予約指示情報を受信する装置受信手段と、上記装置受信手段が受信した予約情報または上記予約指示情報により決定される予約情報に対して、上記情報端末を識別するための端末識別情報を設定する設定手段と、上記設定手段が設定した端末識別情報と上記予約情報とを対応付けて管理する装置管理手段と、を備えた構成である。
【００５６】
また、本発明に係る記録装置の制御方法は、以上のように、番組を予約記録するための予約情報に基づいて該番組を記録する記録装置の制御方法であって、自装置と通信可能な情報端末から上記予約情報または上記予約情報を決定するための指示を示す予約指示情報を受信する装置受信ステップと、上記装置受信ステップにて受信した予約情報または上記予約指示情報により決定される予約情報に対して、上記情報端末を識別するための端末識別情報を設定する設定ステップと、上記端末識別情報と上記予約情報とを対応付けて管理する装置管理ステップと、を含む方法である。
【００５７】
それゆえ、記録装置および記録装置の制御方法は、番組の予約を行うユーザまたは当該ユーザが利用する情報端末に関する情報を、当該情報端末に対するユーザの入力操作によって取得させることなく、ユーザが予約した番組の予約情報だけを、例えば記録装置に接続された表示装置に表示させることができる。すなわち、記録装置および記録装置の制御方法は、情報端末を利用して番組の予約を行うユーザに記録予約の指示以外の操作を行わせる必要がないため、当該ユーザが必要とする予約情報だけを当該ユーザに認識させることを容易に行うことができる。
【発明を実施するための最良の形態】
【００５８】
本発明の一実施形態について図１〜図１０に基づいて説明すると以下の通りである。
【００５９】
〔情報通信システムの概略構成〕
まず、本発明に係る録画装置（記録装置）１と、該録画装置１と通信を行う個人情報端末（情報端末）２とを含む情報通信システム１０の全体的な概略構成について図２を用いて説明する。図２は、本発明に係る録画装置１と、該録画装置１と通信を行う個人情報端末２とを含む情報通信システム１０の概略構成を示す図である。なお、図２（ａ）は、１台の録画装置１が１台の個人情報端末２と通信を行う情報通信システム１０の概略構成を示すものであり、図２（ｂ）は、１台の録画装置１が複数の個人情報端末２と通信を行う情報通信システム１０の概略構成を示すものであり、図２（ｃ）は、複数の録画装置１が１台の個人情報端末２と通信を行う情報通信システム１０の概略構成を示すものである。
【００６０】
図２（ａ）に示すように、情報通信システム１０には、録画装置１と個人情報端末２とで構成され、録画装置１と個人情報端末２との通信媒体としては、例えば赤外線通信等の無線通信媒体である。この通信媒体としては、赤外線通信に限らず、ＺｉｇＢｅｅ（登録商標）、ＵＷＢ（ultra wide band）、Ｂｌｕｅｔｏｏｔｈ（登録商標）、無線ＬＡＮ（local area network）、またはＷｉｂｒｅｅ等を用いたものであってもよい。
【００６１】
録画装置１は、ユーザが録画予約（予約記録）したい番組の番組情報（放送局、放送日時、番組名等）を録画予約情報（予約情報）として記録しておき、当該録画予約情報の示す放送日時になると、当該録画予約情報に示された番組を録画する。また、録画装置１は、ユーザの入力操作によって、録画された番組を再生するものである。
【００６２】
個人情報端末２は、録画装置１と通信可能で、かつユーザが携帯可能な電子機器であり、例えば携帯電話機、モバイルＰＣ、ＰＤＡ（personal digital assistance）等の携帯端末である。
【００６３】
本実施形態に係る情報通信システム１０では、ユーザが個人情報端末２を用いることによって、録画装置１に番組の録画予約、録画された番組の再生等の指示を行うことが可能である。また、個人情報端末２は、録画装置１に番組の録画、録画された番組を再生するときの各種操作（早送り、巻戻し、停止、一時停止等）、該録画された番組の削除等の指示を行うことが可能な構成であってもよい。
【００６４】
また、録画装置１は、個人情報端末２から受信した情報を解析することによって、当該個人情報端末２に端末識別情報を設定するものである。また、個人情報端末２は、端末識別情報を有している場合には、当該端末識別情報を録画予約情報と共に録画装置１に送信するものである。
【００６５】
ここで、図２（ｂ）は、１台の録画装置１（録画装置Ａ）に対して複数（ここでは２台）の個人情報端末２（個人情報端末Ａおよび個人情報端末Ｂ）が通信可能な場合の情報通信システム１０を示している。この場合、録画装置１は、複数の個人情報端末２に対してそれぞれ端末識別情報を設定する構成となっている。
【００６６】
また、図２（ｃ）は、複数（ここでは２台）の録画装置１（録画装置Ａおよび録画装置Ｂ）に対して１台の個人情報端末２（個人情報端末Ａ）が通信可能な場合の情報通信システム１０を示している。この場合、各録画装置１は、個人情報端末２に対してそれぞれ装置識別情報を送信する構成となっている。
【００６７】
なお、情報通信システム１０における録画装置１と個人情報端末２との具体的な構成については後述する。
【００６８】
さらに、情報通信システム１０は、図１に示すように、表示装置３とアンテナ装置４とを備えている。
【００６９】
表示装置３は、表示部が液晶ディスプレイ、プラズマディスプレイ、有機ＥＬディスプレイ等によって実現されており、録画装置１がアンテナ装置４を介して受信したＴＶ放送等の番組、ＥＰＧ（電子番組ガイド；Electronic Program Guide）等を表示するものである。表示装置３は、録画装置１における処理状況（ユーザによる操作状況）等を表示するものである。
【００７０】
また、表示装置３は、録画装置１と例えばＨＤＭＩ（High-Definition Multimedia Interface）、ＤＶＩ（Digital Visual Interface）ケーブルなどによって接続されている。さらに、表示装置３は、録画装置１とのネットワーク接続を可能とするために、アナログＲＧＢ端子、ｉ．Ｌｉｎｋ端子（登録商標）、ＬＡＮ端子などの外部接続端子を備えていてもよい。例えば表示装置３がＬＡＮ端子を備え、録画装置１がサーバー機能を有している場合、当該録画装置１と表示装置３とは、ハブを経由することにより、ＤＬＮＡ規格に従ったネットワーク接続されることとなる。
【００７１】
なお、本実施形態に係る表示装置３は、録画装置１を介してアンテナ装置４と接続されているが、これに限らず、直接アンテナ装置４と接続し、直接ＴＶ放送の番組を受信する構成であってもよい。
【００７２】
〔録画装置の概略構成〕
次に、個人情報端末２と通信を行う録画装置１の概略構成について図１に基づいて説明する。図１は、本発明に係る情報通信システム１０の録画装置１および個人情報端末２の概略構成を示すブロック図である。図１に示すように、録画装置１は、装置送受信部（装置受信手段）１１と、装置制御部１２と、装置記録部１３と、チューナ部１４とを備えている。
【００７３】
装置送受信部１１は、個人情報端末２と通信を行うためのものであり、例えば録画予約情報、録画予約指示情報（予約指示情報）、端末識別情報、個人識別情報等の情報の送受信を行っている。装置送受信部１１は、特に、録画装置１と通信可能な個人情報端末２から録画予約情報または録画予約情報を決定するための指示を示す録画予約指示情報を受信するものである。また、装置送受信部１１は、ユーザが書き換え不可能な個人情報端末２を示す固有の情報である端末固有情報を受信するものである。
【００７４】
装置送受信部１１は、これら情報のやり取りを実現するために、個人情報端末２から受信した情報を装置制御部１２が解析できるように、また装置制御部１２からの情報を個人情報端末２に送信できるように、当該情報の信号パターンの変換を行う。
【００７５】
装置制御部１２は、例えば装置送受信部１１、装置記録部１３、チューナ部１４等の録画装置１の各種機能を制御するための所定の演算処理を行うものであり、例えばＣＰＵ等によって実現される。具体的には、装置制御部１２は、録画装置１と通信を行う個人情報端末２を利用するユーザが指定する番組の録画予約、再生等を行うと共に、番組、ＥＰＧ、処理状況等を表示装置３に表示させる。また、装置制御部１２は、個人情報端末２を識別するための端末識別情報と当該個人情報端末２にて設定された録画予約情報とを対応付けて、当該個人情報端末２を利用するユーザが必要とする情報を提供するものである。
【００７６】
また、装置制御部１２は、上記制御を行うために、識別情報受信判定部（受信判定手段）１２１と、装置情報管理部（設定手段、装置管理手段）１２２とを備えている。
【００７７】
識別情報受信判定部１２１は、装置送受信部１１が録画予約情報または録画予約指示情報を受信したか否かを判定するものである。具体的には、識別情報判定部１２１は、装置制御部１２が個人情報端末２から受信した録画予約情報または録画予約指示情報と共に、端末識別情報を受信したか否かを判定するものである。識別情報受信判定部１２１は、装置制御部１２が端末識別情報を受信したと判定した場合には、装置情報管理部１２２に、録画予約情報または録画予約指示情報と端末識別情報とを送信することによって、該端末識別情報を受信したことを通知する。一方、識別情報受信判定部１２１は、装置制御部１２が端末識別情報を受信していないと判定した場合には、装置情報管理部１２２に、当該端末識別情報を受信していないことを示す判定結果を送信する。
【００７８】
装置情報管理部１２２は、個人情報端末２と送受信を行うための情報、装置記録部１３に保存された情報、表示装置３に送信する情報等を管理するものである。装置情報管理部１２２は、例えば識別情報受信判定部１２１での判定結果に基づいて、受信した録画予約情報に端末識別情報を設定（付与）するか否かを判定し、当該端末識別情報が設定されていない場合には、装置記録部１３を参照して、当該録画予約情報に未使用の端末識別情報を設定する。また、装置情報管理部１２２は、予約番組リスト、録画予約が完了した旨の内容、録画した番組のリスト等を表示装置３に表示させるための表示画面データを作成する。
【００７９】
すなわち、装置情報管理部１２２は、装置送受信部１１が受信した録画予約情報または装置送受信部１１が受信した録画予約指示情報により決定される録画予約情報に対して、個人情報端末２を識別するための端末識別情報を設定するものである。そして、装置情報管理部１２２は、端末識別情報と録画予約情報とを対応付けて管理すると共に、当該録画予約情報を当該端末識別情報毎に、録画装置１に接続された表示装置３に表示させるものである。
【００８０】
さらに、装置情報管理部１２２は、個人情報端末２から録画装置１を示す固有の情報である装置識別情報の送信指示（以降、「問合わせ通知」とする）を受信した場合には、装置識別情報を当該個人情報端末２に送信する。すなわち、装置情報管理部１２２は、録画装置１を示す固有の情報である装置識別情報の送信を指示するための問合わせ通知を個人情報端末２から受信した場合には、当該装置識別情報を当該個人情報端末２に送信するものである。
【００８１】
また、装置情報管理部１２２は、装置送受信部１１がユーザが書き換え不可能な個人情報端末２を示す固有の情報である端末固有情報を受信した場合には、当該端末固有情報を端末識別情報として録画予約情報と対応付けて管理するものである。
【００８２】
さらに、装置情報管理部１２２は、装置送受信部１１が個人情報端末２を利用するユーザに関する情報である個人識別情報を、端末識別情報の付帯的な情報として受信した場合には、当該個人識別情報と録画予約情報とを対応付けて管理すると共に、当該録画予約情報を当該個人識別情報毎に表示装置３に表示させるものである。
【００８３】
装置記録部１３は、装置制御部１２で利用される各種データ、プログラムの実行によって得られたデータなどを保存するものであり、ＲＡＭ（Random Access Memory）などの揮発性メモリと、ＲＯＭ（Read-Only Memory）やフラッシュメモリなどの不揮発性メモリ、あるいは、ＨＤＤなどの磁気記録ディスクや光ディスクとで実現される。装置記録部１３は、各種データまたはプログラムとして、例えば予約番組テーブルを保存するものである。すなわち、装置記録部１３は、録画予約情報、端末識別情報、個人識別情報、装置識別情報、録画番組情報等を保存するものである。
【００８４】
チューナ部１４は、アンテナ装置４と接続されており、アンテナ装置４を介して地上アナログ／デジタル放送、ＢＳ放送、ＣＳ放送等の放送波を受信し、当該放送波を装置制御部１２で扱うことが可能なように信号変換を行うものである。また、チューナ部１４は、ＥＰＧ等のプログラムデータを受信するものである。本実施形態に係る録画装置１は、チューナ部１４を内部に備えているが、拡張カード等の外付けの機器として備えていてもよい。
【００８５】
なお、録画装置１の装置記録部１３には、個人情報端末２にインストールする録画予約ソフトが保存されている。録画予約ソフトは、ＥＰＧ、ｉＥＰＧ、Ｇコード等を用いて録画装置１での録画予約を可能にする録画予約情報を作成するためのソフトウェアであり、個人情報端末２に実装されているＪＡＶＡ(登録商標）アプリ等の拡張ソフトウェアとして、当該個人情報端末２で実行可能なものである。録画装置１は、装置送受信部１１を介して赤外線通信により録画予約ソフトを個人情報端末２に送信する。また、録画装置１が個人情報端末２に録画予約ソフトを送信することにより当該個人情報端末２に実装される構成でなくてもよい。すなわち、個人情報端末２は、録画装置１に対応した録画予約ソフトを、インターネット、フラッシュメモリ等を用いてインストールすることによって実装する構成であってもよい。
【００８６】
また、上記録画予約ソフトは、個人情報端末２にて録画予約情報を作成するためのソフトウェアでなくてもよく、例えば録画装置１に接続された表示装置３に表示されるＥＰＧを操作可能とするソフトウェアであってもよい。この場合、個人情報端末２は、ＥＰＧに示される番組を選択するための録画予約指示情報を、録画装置１に送信することとなる。
【００８７】
なお、録画装置１に保存された録画予約ソフトのバージョンアップは、例えばデジタルデータ放送、インターネット、光ディスクもしくはフラッシュメモリ等を用いることで行われる。
【００８８】
〔個人情報端末の概略構成〕
次に、録画装置１と通信を行う個人情報端末２の概略構成について図１に基づいて説明する。図１に示すように、個人情報端末２は、端末送受信部（端末受信手段）２１と、端末制御部２２と、端末記録部２３と、入力部（入力手段）２４とを備えている。
【００８９】
端末送受信部２１は、録画装置１と通信を行うためのものであり、例えば録画予約情報、録画予約指示情報、端末識別情報、個人識別情報等の情報の送受信を行っている。また、端末送受信部２１は、これら情報のやり取りを実現するために、録画装置１から受信した情報を端末制御部２２が解析できるように、また端末制御部２２からの情報を録画装置１に送信できるように、当該情報の信号パターンの変換を行う。特に、端末送受信部２１は、録画装置１によって設定された、当該録画装置１が個人情報端末２を識別するための端末識別情報を受信するものである。また、端末送受信部２１は、録画装置１を示す固有の情報である装置識別情報の送信を指示するための問合わせ通知を送信するものである。
【００９０】
端末制御部２２は、例えば端末送受信部２１、端末記録部２３、入力部２４、表示部２５等の個人情報端末２の各種機能を制御するための所定の演算処理を行うものであり、例えばＣＰＵ等によって実現される。具体的には、端末制御部２２は、録画装置１と通信を行う個人情報端末２を利用するユーザが指定する番組の録画予約、再生等の指示を行うと共に、ｉＥＰＧ、処理状況等を表示部２５に表示させる。
【００９１】
また、端末制御部２２は、上記制御を行うために、端末情報管理部（端末管理手段）２２１を備えている。端末情報管理部２２１は、録画装置１と送受信を行うための情報、端末記録部２３に保存された情報、入力部２４から受信する情報、表示部２５に送信する情報等を管理するものである。端末情報管理部２２１は、例えば入力部２４からの録画予約情報もしくは録画予約指示情報を、端末記録部２３に保存されている場合には端末識別情報を録画装置１に送信する。すなわち、端末情報管理部２２１は、端末送受信部２１が受信した端末識別情報を、入力部２４が取得した録画予約情報または録画予約指示情報と共に録画装置１に送信するように管理するものである。
【００９２】
また、端末情報管理部２２１は、録画装置１に装置識別情報を送信させるための問合わせ通知を行い、当該装置識別情報を受信すると、当該装置識別情報に対応する端末識別情報が設定されているか否かを判定する。すなわち、端末情報管理部２２１は、端末送受信部２１が送信した問合わせ通知に対する装置識別情報を送信した録画装置１に対して、少なくとも録画予約情報または録画予約指示情報を送信するものである。
【００９３】
さらに、端末情報管理部２２１は、ユーザが書き換え不可能な個人情報端末２を示す固有の情報である端末固有情報を有している場合には、当該端末固有情報を録画装置１に送信するように管理するものである。
【００９４】
また、端末情報管理部２２１は、入力部２４が個人情報端末２を利用するユーザに関する情報である個人識別情報を取得した場合には、当該個人識別情報を、端末識別情報にリンクさせて録画装置１に送信するように管理するものである。
【００９５】
端末記録部２３は、端末制御部２２で利用される各種データ、プログラムの実行によって得られたデータなどを保存するものであり、ＲＡＭ（Random Access Memory）などの揮発性メモリ、および、ＲＯＭ（Read-Only Memory）やフラッシュメモリなどの不揮発性メモリで実現される。端末記録部２３は、各種データまたはプログラムとして、例えば録画予約情報、端末識別情報、装置識別情報等を保存するものである。
【００９６】
入力部２４は、ユーザの入力操作を取得するものであり、例えば図７、８に示すような十字カーソルボタン２４１と決定ボタン２４２と数字ボタン２４３とを備えている。ユーザは、表示装置３または表示部２５に表示される画面を見ながらこれらボタンを操作することによって、録画装置１に所望の操作（録画予約、番組再生等）を行わせることが可能となる。すなわち、入力部２４は、録画装置１に送信するための、録画予約情報または録画予約情報を決定させるための指示を示す録画予約指示情報を、ユーザの入力操作によって取得するものである。
【００９７】
〔情報通信システムの録画処理〕
次に、情報通信システム１０の録画装置１と個人情報端末２とにおける録画時の処理の流れについて説明する。図３は、情報通信システム１０の録画装置１と個人情報端末２とにおける録画時の処理の流れの一例を示すフローチャートである。
【００９８】
まず、個人情報端末２は、録画予約情報の入力操作を取得する（Ｓ１）。具体的には、個人情報端末２の入力部２４は、ユーザが録画装置１に録画させたい番組の番組情報を取得すると、当該番組情報を端末制御部２２に送信する。端末制御部２２が番組情報を受信すると、端末情報管理部２２１は、当該番組情報を録画予約情報として端末記録部２３に保存する。
【００９９】
次に、個人情報端末２は、録画装置１に上記録画予約情報を送信する（Ｓ２）。具体的には、端末情報管理部２２１は、録画予約情報を端末記録部２３に保存すると、当該録画予約情報を、端末送受信部２１を介して録画装置１に送信する。このとき、端末情報管理部２２１は、端末記録部２３を参照して、既に端末識別情報が当該端末記録部２３に保存されている場合には、上記録画予約情報と共に当該端末識別情報を録画装置１に送信する。なお、端末情報管理部２２１は、録画装置１に送信する録画予約情報に端末識別情報を含めて送信してもよい。
【０１００】
録画装置１は、個人情報端末２から録画予約情報を受信すると、当該録画予約情報と共に端末識別情報を受信したか否かを判定する（Ｓ３）。具体的には、録画装置１の装置制御部１２は、個人情報端末２から装置送受信部１１を介して録画予約情報を受信する。このとき、個人情報端末２が録画予約情報と共に端末識別情報を送信した場合には、装置制御部１２は、録画予約情報と共に端末識別情報を受信する。すなわち、装置制御部１２の識別情報受信判定部１２１は、装置送受信部１１を介して受信した録画予約情報と共に端末識別情報を受信したか否かを判定する。
【０１０１】
識別情報受信判定部１２１は、録画予約情報と共に端末識別情報を受信したと判定した場合（Ｓ３でＹＥＳ）、これら２つの情報を装置情報管理部１２２に送信する。装置情報管理部１２２は、これら２つの情報を受信した場合には、当該２つの情報を装置制御部１２が受信したと識別情報受信判定部１２１によって判定されたと判断する。そして、録画装置１は、録画予約情報と端末識別情報とをリンクさせたリンク情報を装置記録部１３に保存する（Ｓ４）。具体的には、装置情報管理部１２２は、識別情報受信判定部１２１から受信した録画予約情報と端末識別情報とを対応付けて（リンクさせて）リンク情報を作成し、当該リンク情報を装置記録部１３の例えば図４に示す予約管理テーブルに保存する。
【０１０２】
ここで、図４に示す予約管理テーブルについて説明する。予約管理テーブルは、装置記録部１３に保存されるリンク情報の保存形式の一例を示すものである。予約管理テーブルには、図４に示すように、上記端末識別情報を示す「端末識別子」と、当該端末識別情報に対応する「端末名」と「予約情報」とが対応付けて保存されている。なお、図４は、装置記録部１３に保存されるリンク情報の保存形式の一例を示す予約管理テーブルを示す図である。
【０１０３】
すなわち、予約管理テーブルには、録画予約情報を送信してきた個人情報端末２に対して設定する端末識別情報を示す「端末識別子」と、当該個人情報端末２に対して設定する端末名を示す「端末名」と、当該個人情報端末２から送信される録画予約情報を示す「予約情報」とを対応付けて保存されている。また、図４に示す予約管理テーブルの「予約情報」には、ユーザが録画装置１に録画させたい番組の情報を示す録画予約情報が保存されており、放送チャンネルを示す「ＣＨ」と、放送予定日を示す「放送日」と、放送予定時刻を示す「放送時間」と、番組名を示す「番組名」とを対応付けて保存されている。
【０１０４】
録画装置１が、例えば放送チャンネル（ＣＨ）が「Ｄ放送」、放送日が「３月１７日」、放送時間が「１７：００〜１９：００」および番組名を示す録画予約情報を個人情報端末２から受信したとする。また、録画装置１がこの録画予約情報と共に、端末識別情報ａ１を受信したとする。装置情報管理部１２２は、装置記録部１３を参照することによって、この端末識別情報ａ１がこの録画予約情報を受信する前に設定されたものであると判断した場合には、当該端末識別情報ａ１と当該録画予約情報とをリンクさせてリンク情報を作成する。そして、装置情報管理部１２２は、装置記録部１３の予約管理テーブルにこのリンク情報を保存する。なお、装置情報管理部１２２は、リンク情報を作成したときに、当該リンク情報に対応付けて端末名（例えば「Ａ」）を設定する。
【０１０５】
また、図４に示す予約管理テーブルには、さらに「個人識別情報」を上記リンク情報に含めて対応付けてもよい。この「個人識別情報」については後述する。
【０１０６】
次に、録画装置１は、リンク情報が装置記録部１３に保存されると、録画予約が完了したと判断する（Ｓ５）。具体的には、装置情報管理部１２２は、Ｓ２の処理にて個人情報端末２から受信した録画予約情報と端末識別情報とを対応付けたリンク情報を装置記録部１３に保存すると、録画予約が完了したものと判断する。このとき、装置情報管理部１２２は、表示装置３に録画予約が完了したことを示す録画予約完了通知を送信し、当該表示装置３に上記端末識別情報に対応する予約番組リストを表示させる。また、装置情報管理部１２２は、上記録画予約完了通知を個人情報端末２に送信してもよい。この場合、個人情報端末２の端末制御部２２は、録画予約完了通知を受信すると、表示部２５に録画予約が完了した旨の内容（または上記予約番組リスト）を表示させてもよい。
【０１０７】
ここで、装置情報管理部１２２によって録画予約が完了したと判断した場合の表示装置３における表示画面例について、図５に基づいて説明する。図５は、表示装置３に表示される予約番組リストの一例を示す図である。
【０１０８】
装置情報管理部１２２は、録画予約が完了したと判断すると、表示装置３に表示させる予約番組リストのフォームを示す画面データを読み出す。また、装置情報管理部１２２は、装置記録部１３の予約管理テーブルを参照して、Ｓ２の処理にて個人情報端末２から受信した録画予約情報と対応付けて保存した端末識別情報の示す端末識別子と同一の端末識別子を選択する。そして、装置情報管理部１２２は、上記同一の端末識別子と対応付けられた録画予約情報を全て抽出する。
【０１０９】
例えば録画装置１が端末識別情報ａ１を受信または設定した場合、装置情報管理部１２２は、装置記録部１３に保存された端末識別子ａ１に対応付けられた録画予約情報を抽出する。具体的には、図４に示す予約管理テーブルには、端末識別子ａ１を示す２つのリンク情報が保存されている。このため、装置情報管理部１２２は、端末識別子ａ１に対応付けられた２つの録画予約情報を抽出する。そして、装置情報管理部１２２は、表示装置３に表示される予約番組リストの所定の位置にこれら２つの録画予約情報が挿入されるように、予約番組リストのフォームの示す画面データと当該録画予約情報とから、表示装置３に送信する予約番組リストを示す画面データを作成する。表示装置３は、録画装置１から予約番組リストを示す画面データを受信すると、図５に示す予約番組リストを表示させる。すなわち、録画装置１は、Ｓ２の処理にて録画予約情報を送信した個人情報端末２からの録画予約情報だけを示す予約番組リストを表示装置３に表示させることができる。
【０１１０】
なお、表示装置３に表示される予約番組リストにおいて、図４に示す予約管理テーブルの端末識別情報と対応付けられた端末名（例えば「端末Ａ」）は表示されなくてもよい。また、図５に示すように、予約番組リストには、番組名の例えば右側に「済」マークが表示されてもよい。これは、例えば装置情報管理部１２２が、後述のＳ１１の処理にてリンク情報を更新したときに、予約番組リストのフォームを示す画面データの所定の位置に「済」マークを設定するように構成されることによって実現される。
【０１１１】
一方、識別情報受信判定部１２１が録画予約情報と共に端末識別情報を受信していないと判定した場合（Ｓ３でＮＯ）、録画装置１は、未使用の端末識別情報を検索する（Ｓ６）。具体的には、識別情報受信判定部１２１は、録画予約情報と共に端末識別情報を受信していないことを示す判定結果を装置情報管理部１２２に送信する。装置情報管理部１２２は、識別情報受信判定部１２１からの判定結果を受信すると、予約管理テーブルに使用されていない端末識別子の検索を開始する。そして、装置情報管理部１２２は、予約管理テーブルに使用されていない端末識別子の検索を行うことによって、当該使用されていない端末識別子のうちの１つを未使用の端末識別情報として抽出する。すなわち、装置情報管理部１２２は、上記判定結果を受信すると、未使用の端末識別情報を検索および抽出することによって、Ｓ２の処理にて録画予約情報を送信してきた個人情報端末２に端末識別情報を設定する。なお、装置記録部１３には、例えば端末識別情報としてｎ個の端末識別子ａ１〜ａｎが保存されている。
【０１１２】
例えば図４に示す予約管理テーブルでは、端末識別子ａ１〜ａ４が使用されている。従って、この場合には、装置情報管理部１２２は、予約管理テーブルに使用されていない端末識別子ａ５〜ａｎのうちの１つ（例えば端末識別子ａ５）を、未使用の端末識別情報として抽出する。なお、装置記録部１３に保存される端末識別子数は、録画装置１が家庭内で利用されることを想定して、家族が有する個人情報端末２の総数を満たすだけの値に設定されていればよいが、利用される状況にあわせて適宜設定されてもよい。また、端末識別子は、上記ではａ１〜ａｎとした符号（数字とアルファベットとを組み合わせたもの）を用いているが、これに限らず、録画装置１が個人情報端末２を識別できる符号であればよく、例えば数字、アルファベットのみを用いた符号であってもよい。
【０１１３】
装置情報管理部１２２が未使用の端末識別情報を検索および抽出することによって当該端末識別情報を設定すると、録画装置１は、当該端末識別情報を個人情報端末２に送信すると共に、録画予約情報と当該端末識別情報とをリンクさせたリンク情報を装置記録部１３に保存する（Ｓ７）。具体的には、装置情報管理部１２２は、まず装置記録部１３から抽出した未使用の端末識別情報を、装置送受信部１１を介して個人情報端末２に送信する。そして、個人情報端末２の端末情報管理部２２１は、端末送受信部２１を介してこの端末識別情報を受信すると、当該端末識別情報を端末記録部２３に保存する。すなわち、個人情報端末２は、録画装置１から受信した端末識別情報を端末記録部２３に保存する（Ｓ８）。また、このとき装置情報管理部１２２は、識別情報受信判定部１２１から受信した録画予約情報と、抽出（設定）した未使用の端末識別情報とを対応付けて（リンクさせて）リンク情報を作成し、当該リンク情報を装置記録部１３の予約管理テーブルに保存する。そして、Ｓ７およびＳ８の処理が完了すると、録画装置１におけるＳ５の処理に移る。
【０１１４】
次に、録画装置１の装置情報管理部１２２は、装置記録部１３に保存された録画予約情報の示す放送開始時刻になると、当該録画予約情報の示す番組の録画を開始し、当該番組を、当該番組と対応付けられている（リンクしている）録画番組情報と共に装置記録部１３に保存する（Ｓ９）。そして、録画装置１の装置情報管理部１２２は、録画予約情報の示す放送終了時刻になると、当該録画予約情報の示す番組の録画を終了する（Ｓ１０）。すなわち、装置情報管理部１２２は、装置記録部１３に保存された録画予約情報の示す番組の開始時刻および終了時刻にあわせて、当該番組の録画を開始および終了させると共に、録画番組（録画済のコンテンツ）を上記録画番組情報と共に当該装置記録部１３に保存する。なお、録画番組情報とは、番組のタイトル、放送時間、チャンネル、番組のあらすじなどを含む情報を指す。
【０１１５】
録画装置１の装置情報管理部１２２は、上記番組の録画を終了させると、装置記録部１３の保存されている録画予約情報および端末識別情報に、録画番組とリンクしている上記録画番組情報をリンクさせることによって、Ｓ４またはＳ７の処理で装置記録部１３に保存されたリンク情報を更新する（Ｓ１１）。すなわち、装置情報管理部１２２は、Ｓ４またはＳ７の処理で装置記録部１３に保存されたリンク情報に録画番組情報を付加することによって、当該リンク情報を更新する。そして、装置情報管理部１２２は、更新したリンク情報を装置記録部１３の予約管理テーブルに保存する。
【０１１６】
以上より、録画装置１では、識別情報受信判定部１２１は、個人情報端末２から録画予約情報を受信したときに端末識別情報を受信したか否かを判定する。識別情報受信判定部１２１が端末識別情報を受信したと判定した場合には、装置情報管理部１２２は、個人情報端末２から受信した録画予約情報と端末識別情報とを対応付けて装置記録部１３に保存する。一方、識別情報受信判定部１２１が端末識別情報を受信していないと判定した場合には、装置情報管理部１２２は、個人情報端末２に対して端末識別情報を設定し、当該端末識別情報と録画予約情報とを対応付けて装置記録部１３に保存する。そして、装置情報管理部１２２は、対応付けられたこれら情報から予約番組リストを作成し、当該予約番組リストを表示装置３に表示させる。
【０１１７】
これにより、録画装置１は、番組の予約を行うユーザまたは当該ユーザが利用する個人情報端末２に関する情報を、当該個人情報端末２に対するユーザの入力操作によって取得させることなく、ユーザが予約した番組の録画予約情報だけを表示装置３に表示させることができる。すなわち、録画装置１は、情報端末を利用して番組の予約を行うユーザに記録画予約の指示以外の操作を行わせる必要がないため、当該ユーザが必要とする録画予約情報だけを当該ユーザに認識させることを容易に行うことができる。
【０１１８】
一方、個人情報端末２は、番組の予約を行うユーザまたは当該ユーザが利用する当該情報端末に関する情報を、ユーザの入力操作によって取得して録画装置１に送信しなくても、ユーザが予約した番組の予約情報だけを表示装置３に表示させることができる。
【０１１９】
〔情報通信システムの録画処理（録画装置が録画予約指示情報を受信する場合）〕
ここで、個人情報端末２を利用するユーザは、録画装置１に接続された表示装置３に表示されるＥＰＧを見ながら、当該ユーザが録画したい番組の予約操作を行うことも可能である。この場合の処理について、図３に示すフローチャートに基づいて説明する。なお、上記情報通信システムの録画処理で説明した内容と同様の場合には、その処理の説明を省略する。
【０１２０】
まずＳ１の処理において、個人情報端末２は、録画予約情報の決定するための指示を示す録画予約指示情報の入力操作を取得する。具体的には、個人情報端末２の入力部２４は、表示装置３に表示されたＥＰＧの番組欄から、ユーザが録画装置１に録画させたい番組を選択するための指示を取得する。すなわち、入力部２４は、十字カーソルボタン２４１または決定ボタン２４２への入力操作を取得するたびに、この入力操作を録画予約指示情報として取得して、端末情報管理部２２１に送信する。
【０１２１】
そしてＳ２の処理では、端末情報管理部２２１は、入力部２４から録画予約指示情報を受信するたびに、端末送受信部２１を介して録画装置１に送信する。すなわち、端末情報管理部２２１は、録画装置１に、録画予約情報の代わりに録画予約指示情報を送信する。ここで、録画予約指示情報は、表示装置３に表示されるＥＰＧ上で動作するカーソル（表示装置３に表示される各種ボタンの反転表示）移動のための指示信号、および表示装置３に表示される番組（番組ボタン）、録画予約ボタン、戻るボタン等を選択および決定指示を行うための指示信号を示すものである。
【０１２２】
次にＳ３の処理において、装置制御部１２が個人情報端末２から送信された録画予約指示情報のうち最初の録画予約指示情報を受信したときに端末識別情報を受信した場合には、識別情報受信判定部１２１は、録画予約指示情報と共に端末識別情報を受信したと判定する。そしてＳ３の処理後、Ｓ４またはＳ６の処理に移る。
【０１２３】
ここで、装置制御部１２が装置送受信部１１を介して録画予約指示情報を受信している間（録画予約指示情報を受信するたびに）、装置情報管理部１２２は、当該録画予約指示情報に対応する処理を行う。例えば装置情報管理部１２２は、カーソル移動の指示を示す録画予約指示情報である場合には、カーソル移動量を算出し、当該カーソル移動量に基づいて表示装置３に表示されたカーソルの位置を移動させる。このとき装置情報管理部１２２は、カーソルの移動にあわせたＥＰＧの画面を示す表示画面データを作成し、表示装置３に送信する。そして、表示装置３は、録画装置１から受信した表示画面データに基づいた表示を行う。
【０１２４】
また、装置情報管理部１２２は、表示装置３に表示された各種ボタンを選択および決定指示を示す録画予約指示情報である場合には、選択された機能に対応した画面データを装置記録部１３から読み出す。例えば表示装置３に表示されたＥＰＧ上の番組が選択された場合には、装置情報管理部１２２は、例えば選択された番組の内容を示すテキストデータと、録画予約ボタンおよび戻るボタンとを表示装置３に表示させるための画面データを装置記録部１３から読み出す。
【０１２５】
つまり、録画装置１が個人情報端末２から録画予約指示情報を受信している場合には、装置制御部１２は、Ｓ３の処理時に表示装置３に表示される、録画予約を確定するための録画予約ボタンが選択されたか否かを判定することによって、個人情報端末２から録画予約情報を受信したか否かを判定する。
【０１２６】
具体的には、装置制御部１２が録画予約ボタンを選択および決定指示を示す録画予約指示情報を受信した場合には、装置情報管理部１２２は、録画予約ボタンが選択されたと判定し、録画予約の完了を示す画面データを装置記録部１３から読み出して表示装置３に送信する。このとき装置情報管理部１２２は、録画予約指示情報により選択（決定）された番組情報（例えば装置記録部１３から読み出された番組内容を示すテキストデータ）を録画予約情報として装置記録部１３に保存する。装置情報管理部１２２は、この録画予約情報を装置記録部１３に保存するときには、Ｓ４またはＳ７の処理と同様、当該録画予約情報と端末識別情報（またはＳ６の処理にて設定された未使用の端末識別情報）とを対応付けて（リンクさせて）リンク情報を作成する。そして、装置情報管理部１２２は、このリンク情報を例えば図４に示す予約管理テーブルに保存する。
【０１２７】
なお、Ｓ７の処理において、装置情報管理部１２２は、設定した未使用の端末識別情報と共に装置記録部１３に保存する録画予約情報を、装置送受信部１１を介して個人情報端末２に送信する。そして、Ｓ８の処理において、個人情報端末２の端末情報管理部２２１は、端末送受信部２１を介して端末識別情報と共に録画予約情報を受信し、受信した当該端末識別情報と録画予約情報とを端末記録部２３に保存する。
【０１２８】
以上より、録画装置１が表示装置３にＥＰＧを表示させている場合には、ユーザは、個人情報端末２を用いて、当該ＥＰＧを操作するための録画予約指示情報を当該録画装置１に送信することができる。すなわち、録画装置１は、個人情報端末２において録画予約情報が作成されない場合であっても、ユーザに個人情報端末２を用いた録画予約を行わせることができる。
【０１２９】
〔情報通信システムの録画処理（録画装置が個人識別情報を受信する場合）〕
個人情報端末２を利用するユーザは、入力部２４での入力操作を介して個人識別情報を入力してもよい。ここで、個人識別情報とは、個人情報端末２を利用するユーザに関する情報（端末識別情報の補足情報）であり、例えばユーザの氏名、ニックネーム（パパ、ママ）等のテキストデータ、あるいは、女性、男性の顔などを表現した絵（アイコン）を示すアイコンデータである。また、この個人識別情報は、入力部２４に対して入力操作を行うユーザを示すだけの情報でなくてもよく、例えば「パパ／ママ」等の当該ユーザが所望する情報（この場合は複数のユーザを指定するデータ）であってもよい。
【０１３０】
この場合、Ｓ１の処理において、個人情報端末２の入力部２４は、この個人識別情報を取得し、当該個人識別情報を端末識別情報にリンクさせて端末情報管理部２２１に送信する。そしてＳ２の処理では、端末情報管理部２２１は、録画予約情報または録画予約指示情報と共に、個人識別情報がリンクされた端末識別情報を録画装置１に送信する。なお、個人情報端末２は、個人識別情報を端末識別情報にリンクさせて送信しているが、これに限らず、個人識別情報だけを送信してもよい。
【０１３１】
録画装置１の装置制御部１２が、個人識別情報がリンクされた端末識別情報を受信すると、装置情報管理部１２２は、このとき受信した録画予約情報、または録画予約指示情報に基づく録画予約情報と対応付けて（リンクさせて）リンク情報を作成する。そして、装置情報管理部１２２は、このリンク情報を装置記録部１３の図４に示す予約管理テーブルに保存する。
【０１３２】
例えば図４に示す予約管理テーブルでは、端末識別子ａ１およびａ２を示す端末識別情報に対応付けて、同一の個人識別情報「パパ」が保存されている。すなわち、異なる個人情報端末２から送信された録画予約情報に対して同一の個人識別情報が対応付けられている。なお、予約管理テーブルにおける個人識別情報「−」は、録画装置１が個人識別情報を受信しなかったこと（すなわち端末識別情報のみを受信したこと）を示すものである。
【０１３３】
ここで、録画装置１が個人識別情報を受信した場合の表示装置３における表示画面例について、図６に基づいて説明する。図６は、表示装置３に表示される予約番組リストの別の一例を示す図である。
【０１３４】
装置情報管理部１２２は、録画予約が完了したと判断すると、表示装置３に表示させる予約番組リストのフォームを示す画面データを読み出す。また、装置情報管理部１２２は、装置記録部１３の予約管理テーブルを参照して、Ｓ２の処理にて個人情報端末２から受信した個人識別情報と同一の個人識別情報を選択する。そして、装置情報管理部１２２は、同一の個人識別情報と対応付けられた録画予約情報を全て抽出する。
【０１３５】
例えば録画装置１が個人識別情報「パパ」を受信した場合には、装置情報管理部１２２は、装置記録部１３に保存された個人識別情報「パパ」に対応付けられた録画予約情報を抽出する。具体的には、図４に示す予約管理テーブルには、個人識別情報「パパ」を示す３つのリンク情報が保存されている。このため、装置情報管理部１２２は、個人識別情報「パパ」に対応付けられた３つの録画予約情報を抽出する。そして、装置情報管理部１２２は、表示装置３に表示される予約番組リストの所定の位置にこれら３つの録画予約情報が挿入されるように、予約番組リストのフォーム示す画面データと当該録画予約情報から、表示装置３に送信する予約番組リストを示す画面データを作成する。表示装置３は、録画装置１から予約番組リストを示す画面データを受信すると、図６に示す予約番組リストを表示させる。すなわち、録画装置１は、Ｓ２の処理にて個人識別情報を送信した個人情報端末２からの録画予約情報だけを示す予約番組リストを表示装置３に表示させる。
【０１３６】
なお、表示装置３に表示される予約番組リストにおいて、個人識別情報、および当該個人識別情報と対応付けられた端末名（例えば「端末Ａ」、「端末Ｂ」）は表示されなくてもよい。また、図５に示す予約番組リストと同様、図６に示す予約番組リストにおいても、番組名の左側に「済」マークが表示されるように、装置情報管理部１２２が制御してもよい。
【０１３７】
ここで、図２（ｂ）に示す情報通信システム１０を用いて説明する。図２（ｂ）に示す情報通信システム１０では、録画装置１を録画装置Ａ、２台の個人情報端末２を個人情報端末Ａおよび個人情報端末Ｂとして説明する。また、ここでは個人情報端末Ａ、Ｂを１人のユーザが利用しているものとする。
【０１３８】
図２（ｂ）に示すように、個人情報端末Ａ、Ｂはそれぞれ、録画予約情報または録画予約指示情報と共に、個人識別情報「パパ」がリンクされた端末識別情報を送信する。録画装置Ａがこれら情報を受信すると、装置情報管理部１２２は、受信した個人識別情報がリンクされた端末識別情報と録画予約情報（または録画予約指示情報に基づく録画予約情報）と対応付けて装置記録部１３に保存する。そして、装置情報管理部１２２は、これら情報を装置記録部１３に保存して録画予約が完了したと判断すると、例えば図６に示すような画面を表示装置３に表示させる。
【０１３９】
以上より、個人情報端末２が個人識別情報を取得可能な構成の場合には、録画装置１の装置情報管理部１２２は、異なる個人情報端末よって設定された録画予約情報を含むリンク情報であっても、個人識別情報が同一である場合には、これらのリンク情報を表示装置３に表示される同一の予約番組リストに挿入する。従って、録画装置１は、ユーザが複数台の個人情報端末２を利用する場合に、当該ユーザが録画予約した番組を閲覧可能な予約番組リストを作成して、表示装置３に表示させることができる。
【０１４０】
すなわち、録画装置１は、例えば端末識別情報が異なる場合であっても、同一の個人識別情報と対応付けられた録画予約情報を表示装置３に表示させることができる。このため、ユーザは、例えば複数台の個人情報端末２を用いて番組の予約を行った場合であっても、自分が予約した番組が表示装置３に表示されるため、当該予約した番組を容易に認識することができる。
【０１４１】
〔情報通信システムの録画処理（個人情報端末２における処理）〕
Ｓ１の処理では、個人情報端末２の端末情報管理部２２１は、入力部２４が取得した録画予約情報または録画予約指示情報を録画装置１に送信する。ここで、端末情報管理部２２１が録画予約情報または録画予約指示情報を録画装置１に送信する前に、複数の録画装置１がそれぞれの装置識別情報を送信する処理を行う場合について説明する。
【０１４２】
具体的には、入力部２４は、番組情報または録画予約指示情報を取得すると、これらの情報を端末制御部２２に送信する。端末制御部２２の端末情報管理部２２１は、これらの情報を受信すると、録画装置１に装置識別情報を送信させるための問合わせ通知を行う。
【０１４３】
録画装置１の装置制御部１２が装置送受信部１１を介して装置識別情報の問合わせ通知を受信すると、装置情報管理部１２２は、装置記録部１３を参照して、当該装置記録部１３に保存されている装置識別情報を読み出して、当該装置識別情報を個人情報端末２に送信する。ここで、装置識別情報とは、各録画装置１を示す固有の情報であり、複数の録画装置１を個人情報端末２が識別することを可能にする情報のことである。装置識別情報は、例えば数字、アルファベット、またはそれらの組合せで作成されている。
【０１４４】
個人情報端末２は、端末制御部２２が端末送受信部２１を介して装置識別情報を受信すると、端末情報管理部２２１は、当該端末記録部２３に保存されている端末識別情報を読み出し、当該端末識別情報が当該装置識別情報に対応付けて設定されたものである否かを判定する。なお、録画装置１は、端末識別情報に装置識別情報をリンクさせて個人情報端末２に送信しているものとする。
【０１４５】
端末情報管理部２２１は、読み出した端末識別情報が受信した装置識別情報に対応付けて設定されたものであると判定した場合には、当該装置識別情報を送信してきた録画装置１に対して、入力部２４から受信した録画予約情報または録画予約指示情報と共に、当該端末識別情報を送信する。一方、端末情報管理部２２１は、読み出した端末識別情報が受信した装置識別情報に対応付けて設定されたものではないと判定した場合には、当該装置識別情報を送信してきた録画装置１に対して、入力部２４から受信した録画予約情報または録画予約指示情報だけを送信する。すなわち、この場合には、個人情報端末２が録画予約情報または録画予約指示情報だけを録画装置１に送信することにより、当該録画装置１は、当該個人情報端末２に未使用の端末識別情報を設定する。
【０１４６】
ここで、図２（ｃ）に示す情報通信システム１０を用いて説明する。図２（ｃ）に示す情報通信システム１０では、個人情報端末２を個人情報端末Ａ、２台の録画装置１を録画装置Ａおよび録画装置Ｂとして説明する。
【０１４７】
図２（ｃ）に示すように、個人情報端末Ａが録画装置Ａおよび録画装置Ｂに装置識別情報の問合わせ通知を行うと、該録画装置Ａ、Ｂの装置情報管理部１２２は、装置記録部１３を参照して、当該装置記録部１３に保存されている装置識別情報を読み出す。そして、録画装置Ａ、Ｂは、読み出した装置識別情報を個人情報端末Ａにそれぞれ送信する。ここで、図２（ｃ）に示す情報通信システム１０では、録画装置Ａが上記問合わせ通知を受信する前に個人情報端末Ａに端末識別情報ａ１を送信している一方で、録画装置Ｂが当該問合わせ通知を受信する前に個人情報端末Ａに端末識別情報を送信していないものとする。
【０１４８】
個人情報端末Ａの端末情報管理部２２１は、録画装置Ａから装置識別情報を受信すると、端末記録部２３から端末識別情報を読み出し、当該端末識別情報が当該装置識別情報に対応付けて設定されたものかを判定する。個人情報端末Ａは、録画装置Ａで設定された端末識別情報ａ１を端末記録部２３に保存している。このため、端末情報管理部２２１は、読み出した端末識別情報ａ１が当該録画装置Ａから受信した装置識別情報に対応付けて設定されたものであると判定する。そして、端末情報管理部２２１は、読み出した端末識別情報ａ１を、録画予約情報または録画予約指示情報と共に録画装置Ａに送信する。
【０１４９】
一方、端末情報管理部２２１は、録画装置Ｂから装置識別情報を受信した場合も、端末記録部２３から端末識別情報を読み出し、当該端末識別情報が当該装置識別情報に対応付けて設定されたものかを判定する。この場合、個人情報端末Ａの端末記録部２３には、録画装置Ｂで設定された端末識別情報が保存されていない。このため、端末情報管理部２２１は、読み出した端末識別情報が、録画装置Ｂから受信した装置識別情報に対応付けて設定されたものではないと判定する。そして、端末情報管理部２２１は、録画予約情報または録画予約指示情報だけを録画装置Ｂに送信する。
【０１５０】
録画装置Ｂは、個人情報端末Ａから録画予約情報または録画予約指示情報だけを受信すると、装置記録部１３に保存されている未使用の端末識別情報（例えば端末識別情報ｂ１）を個人情報端末Ａに送信する。なお、録画装置Ｂの装置記録部１３には、ｎ個の端末識別情報（端末識別子）ｂ１〜ｂｎが保存されているものとする。
【０１５１】
なお、端末情報管理部２２１は、読み出した端末識別情報が、録画装置Ｂから受信した装置識別情報に対応付けて設定されたものではないと判定した場合に、端末識別情報を設定するように録画装置Ｂに依頼するための指示を行ってもよい。この場合、録画装置Ｂでは、装置制御部１２が個人情報端末Ａから上記依頼を受けると、装置情報管理部１２２は、装置記録部１３に保存されている未使用の端末識別情報を録画装置Ｂに送信する。
【０１５２】
以上より、録画装置１は、個人情報端末２からの問合わせ通知を受信した場合には、装置識別情報を当該個人情報端末２に送信する。これにより、録画装置１は、個人情報端末２に対して通信可能であることを認識させることができる。すなわち、個人情報端末２は、通信可能な録画装置１を認識することができるため、例えば複数台の録画装置１に対して、録画予約情報または録画予約指示情報を送信することができる。従って、ユーザは、１つの個人情報端末２を利用して、通信可能な複数の録画装置１に対する記録予約の指示を行うことができる。
【０１５３】
なお 、図２（ｃ）に示す情報通信システム１０では、録画装置１が２台の場合について説明したが、録画装置１の台数はこれに限られるものではなく、３台以上であってもよい。また、録画装置１が１台の場合であっても、個人情報端末２は、上記のように録画装置１に対して、当該録画装置１に装置識別情報を送信させるための問合わせ通知を行ってもよい。これにより、例えば、ユーザが新規に録画装置１を購入したことにより録画装置１の台数が増えた場合においても、個人情報端末２は、当該録画装置１に対して録画予約を行うことができる。
【０１５４】
但し、個人情報端末２によって録画予約操作が行われる録画装置１が１台のみに限定されている場合には、当該録画装置１は、当該個人情報端末２に装置識別情報を送信する必要がない。従って、この場合、個人情報端末２は、録画予約情報または録画予約指示情報の入力が行われる際に、録画予約操作を行う録画装置１が１台であることを示す入力を受け付ける構成であってもよい。また、この場合には、個人情報端末２は、録画装置１に対して、当該録画装置１に装置識別情報を送信させるための問合わせ通知を行わない構成となる。
【０１５５】
〔情報通信システムの録画処理（個人情報端末が携帯電話機の場合）〕
ここで、上述の個人情報端末２は、録画装置１にて設定された端末識別情報を、録画予約情報または録画予約指示情報と共に当該録画装置１に送信する構成であるが、これに限られたものではない。個人情報端末２が例えば携帯電話機である場合には、当該携帯電話機は、ユーザが当該携帯電話機の利用を開始したときに与えられる携帯電話番号（個人情報端末２の電話番号）を有している。すなわち、個人情報端末２は、携帯電話番号というユーザが書き換えることの不可能な端末固有の情報である端末固有情報を有している。従って、個人情報端末２は、録画装置１にて設定された端末識別情報の代わりに、録画予約情報または録画予約指示情報と共に携帯電話番号を送信する構成であってもよい。
【０１５６】
なお、ここでは個人情報端末２として携帯電話番号を有する携帯電話機を用いた場合について説明するが、これに限らず、ユーザが書き換え不可能な当該個人情報端末２を示す固有の情報である端末固有情報を有する個人情報端末２であればどのような電子機器であってもよい。
【０１５７】
また、ＳＩＭカードを利用する携帯電話機の場合には、個人情報端末２は、ＳＩＭカードに記録された携帯電話番号を端末固有情報として録画装置１に送信するように構成されていてもよい。
【０１５８】
すなわち、携帯電話機によっては、携帯電話番号が、当該携帯電話機本体ではなく、ＳＩＭ（Subscriber Identity Module）カードと呼ばれる、当該携帯電話機から着脱可能なＩＣカードに記録されているものもある。この場合、当該携帯電話機に複数のＳＩＭカードを装着することが可能であるので、１つの携帯電話機に複数の携帯電話番号が使用される場合もあれば、複数の携帯電話機に１つの携帯電話番号が使用される場合もある。この場合であっても、個人情報端末２は、挿入されているＳＩＭカードに記録された携帯電話番号を端末固有情報として録画装置１に送信する。
【０１５９】
この場合、Ｓ１の処理において、個人情報端末２は、端末識別情報として携帯電話番号を録画装置１に送信する。録画装置１の装置制御部１２が携帯電話番号を受信すると、識別情報受信判定部１２１は、端末識別情報を受信したものと判定し、当該携帯電話番号と録画予約情報または録画予約指示情報を装置情報管理部１２２に送信する。そして、装置情報管理部１２２は、当該携帯電話番号を端末識別情報として、当該端末識別情報と録画予約情報とを装置記録部１３に保存する。
【０１６０】
これにより、録画装置１は、端末固有情報を受信した場合に端末識別情報を受信したと判定することによって、番組の予約を行うユーザまたは当該ユーザが利用する個人情報端末２に関する情報を、当該個人情報端末２に対するユーザの入力操作によって取得させることなく、ユーザが予約した番組の録画予約情報だけを表示装置３に表示させることができる。
【０１６１】
また、録画装置１は、端末固有情報を受信した場合に端末識別情報を受信したと判定することによって、個人情報端末２に端末識別情報を設定し、当該端末識別情報を送信しなくても、当該個人情報端末２と録画予約情報とを対応付けて管理することができる。すなわち、録画装置１は、端末識別情報を設定し、当該端末識別情報を個人情報端末２に送信する構成を省略することができるため、構成の簡略化を図ることができる。
【０１６２】
一方、個人情報端末２は、端末固有情報を録画装置１に送信する場合であっても、番組の予約を行うユーザまたは当該ユーザが利用する当該個人情報端末２に関する情報を、ユーザの入力操作によって取得して当該録画装置１に送信しなくても、ユーザが予約した番組の録画予約情報だけを表示装置３に表示させることができる。
【０１６３】
なお、個人情報端末２は、端末識別情報の代わりとして端末固有情報を録画装置１に送信しているが、端末識別情報と共に端末固有識別を録画装置１に送信してもよい。この場合には、録画装置１の装置情報管理部１２２は、受信した端末識別情報と端末固有情報とを対応付けて装置記録部１３に保存するように構成されている。
【０１６４】
また、個人情報端末２は、上記端末固有情報（携帯電話番号）を録画装置１に送信するときに、上述の個人識別情報がリンクされた端末識別情報を録画装置１に送信してもよい。この場合、録画装置１は、個人識別情報を表示装置３に送信することによって、氏名、ニックネーム等だけを表示装置３に表示させることが可能である。なお、個人情報端末２は、端末固有情報を録画装置１に送信するときに、個人識別情報がリンクされた端末固有情報を送信してもよい。
【０１６５】
さらに、録画装置１の装置制御部１２が個人情報端末２から携帯電話番号を受信すると、装置情報管理部１２２は、当該携帯電話番号を暗号化して装置記録部１３に保存する構成であってもよい。すなわち、装置情報管理部１２２は、端末固有情報を暗号化して管理するものであり、このとき装置記録部１３には端末識別情報として暗号化された携帯電話番号（すなわち、所定のアルゴリズムに従って、数値やビット毎に置換、転置を行うことで、電話番号と識別できないように変換された符号）が保存される。
【０１６６】
この場合、録画装置１は、個人情報端末２として携帯電話機を利用するユーザにとって機密性の高い個人情報の１つである携帯電話番号を暗号化して保存するため、例えばユーザが当該録画装置１を廃棄処分する場合等に、当該電話電話番号が外部に漏洩することを未然に防ぐことができる。
【０１６７】
〔録画予約の処理について〕
ここで、個人情報端末２におけるＳ１の処理について、図７〜図９を用いて説明する。図７は、個人情報端末２の表示部２５に表示されたｉＥＰＧによって録画予約が行われる場合の画面遷移を示す図である。また、図８は、個人情報端末２の表示部２５に表示されたＧコード入力画面によって録画予約が行われる場合の当該表示部２５における表示画面と表示装置３における表示画面を示す図である。さらに、図９は、録画装置１に接続された表示装置３に表示されたＥＰＧによって録画予約が行われる場合の画面遷移を示す図である。ここで、図７〜図９では、個人情報端末２として携帯電話機を用いた場合（図９では図７、８に示す携帯電話機を用いて操作される場合）を示している。しかし、上述のように、個人情報端末２は、ＰＤＡ等の録画装置１と通信可能で、かつ録画予約が可能な機器であればどのような機器でもよい。
【０１６８】
まず、個人情報端末２の端末情報管理部２２１は、インターネット等からダウンロードしたｉＥＰＧの画面データを端末記録部２３に保存しておき、当該端末記録部２３から当該画面データを読み出すことによって、図７（ａ）に示すようなＥＰＧを表示部２５に表示させる。次に、入力部２４は、表示部２５に表示されたｉＥＰＧの番組欄から、ユーザが録画装置１に録画させたい番組を選択するための指示を取得する。すなわち、入力部２４は、十字カーソルボタン２４１または決定ボタン２４２への入力操作を取得するたびに、この入力操作を録画予約指示情報として取得して、端末情報管理部２２１に送信する。ここで、録画予約指示情報は、表示部２５に表示されるｉＥＰＧ上で動作するカーソル（表示部２５に表示される各種ボタンの反転表示）移動のための指示信号を示すものである。また、録画予約指示情報は、図７（ａ）に示す表示部２５に表示される番組（番組ボタン）、図７（ｂ）に示す録画予約ボタンおよび戻るボタン等を選択および決定指示を行うための指示信号を示すものである。
【０１６９】
端末情報管理部２２１は、十字カーソルボタン２４１に対する入力操作を示す録画予約指示情報を受信すると、カーソル移動量を算出し、当該カーソル移動量に基づいて表示部２５に表示されたカーソルの位置を移動させる。このとき端末情報管理部２２１は、ｉＥＰＧの画面データに対して、カーソルの移動にあわせたｉＥＰＧの画面を示す表示画面データを作成し、表示部２５に当該表示画面データに基づいた画面を表示させる。これにより、ユーザが十字カーソルボタン２４１を操作することによって、ユーザが録画装置１に録画させたい番組を選択することができる。
【０１７０】
そして、端末情報管理部２２１は、表示部２５に図７（ａ）に示す画面が表示されている場合において、決定ボタン２４２に対する入力操作を示す録画予約指示情報を受信すると、図７（ｂ）に示す画面を表示部２５に表示させるための画面データを端末記録部２３から読み出す。このとき端末情報管理部２２１は、決定ボタン２４２に対する入力操作を示す録画予約指示情報を受信したときに反転表示されていた番組情報（図７（ａ）の場合、Ｃ放送に対応する番組情報）を端末記録部２３に保存する。その後、端末情報管理部２２１は、十字カーソルボタン２４１に対する入力操作を示す録画予約指示情報を受信した場合には、上述のカーソル処理を行って、録画予約ボタンまたは戻るボタンの反転表示を移動させる（切り替える）。そして、端末情報管理部２２１は、図７（ｂ）に示す画面において、決定ボタン２４２に対する入力操作を受信すると、録画予約ボタンおよび戻るボタンに対して設定された機能に対応した画面データを端末記録部２３から読み出す。
【０１７１】
すなわち、端末情報管理部２２１は、録画予約ボタンを反転表示させている場合に決定ボタン２４２に対する入力操作を受信すると、当該録画予約ボタンが選択されたと判定し、図７（ｂ）の画面を表示部２５に表示させたときに端末記録部２３に保存した番組情報を読み出し、当該番組情報を録画予約情報として録画装置１に送信する。一方、端末情報管理部２２１は、戻るボタンを反転表示させている場合に決定ボタン２４２に対する入力操作を受信すると、当該戻るボタンが選択されたと判定し、端末記録部２３から図７（ａ）に示す画面を示す画面データを読み出し、図７（ａ）に示す画面を再び表示部２５に表示させる。
【０１７２】
これにより、個人情報端末２の表示部２５にｉＥＰＧを表示させた場合に、ユーザは、個人情報端末２の入力部２４を操作することによって、録画装置１に録画させたい番組の録画予約を行うことが可能となる。
【０１７３】
次に、Ｇコード入力画面によって録画予約が行われる場合について説明する。個人情報端末２の端末情報管理部２２１は、端末記録部２３保存されているＧコード入力画面を示す画面データを当該端末記録部２３から読み出すことによって、図８（ａ）に示すようなＧコード入力画面を表示部２５に表示させる。ここで、図８（ａ）に示すＧコード入力画面には、例えばＧコードを表示するＧコード表示領域と確定ボタンとが表示されている。なお、Ｇコード入力画面は、例えば携帯電話機であれば数値が入力されるときに表示される数値入力画面であってもよい。
【０１７４】
端末情報管理部２２１は、入力部２４の数字ボタン２４３に対する入力操作を示す録画予約指示情報を受信すると、上記Ｇコード表示領域に当該録画予約指示情報の示す数値データを挿入した表示画面データをＧコード入力画面として作成し、表示部２５に当該表示画面データに基づいた画面を表示させる。なお、端末情報管理部２２１は、Ｇコード入力時の数値情報を、Ｇコードを作成するための数値情報として端末記録部２３に保存する。
【０１７５】
ユーザは、録画させたい番組のＧコード入力が完了すると、十字カーソルボタン２４１を用いて、表示部２５に表示された確定ボタンの表示を反転させる。この場合の処理は、ｉＥＰＧを用いた場合にカーソル（表示部２５に表示された各種ボタンの反転表示）移動に対する端末情報管理部２２１の処理と同様であるため、ここではその説明を省略する。
【０１７６】
端末情報管理部２２１は、図８（ａ）に示す確定ボタンの表示が反転している状態で決定ボタン２４２に対する入力操作を示す録画予約指示情報を受信すると、保存していた数値情報を、Ｇコードを示す録画予約情報として録画装置１に送信する。録画装置１は、Ｇコードを示す録画予約情報を受信すると、当該Ｇコードに対応する番組情報を例えばチューナ部１４を介して取得することによって表示装置３に表示させる。具体的には、録画装置１の装置制御部１２がＧコードを示す録画予約情報を受信すると、装置情報管理部１２２は、装置記録部１３から図８（ｂ）に示す画面を表示装置３に表示させるためのＧコード用画面データを読み出す。そして、装置情報管理部１２２は、このＧコード用画面データとチューナ部１４を介して取得したＧコードに対応する番組情報とから表示装置３に表示させる表示画面データを作成し、当該表示画面データを表示装置３に送信する。
【０１７７】
ユーザは、表示装置３に表示された図８（ｂ）に示す画面の番組情報を確認した場合（Ｇコードの入力ミスがないことを確認した場合）には、十字カーソルボタン２４１を操作することによって、当該画面に表示された録画予約ボタンまたは戻るボタンを選択する。この場合の処理は、上記カーソル移動に対する端末情報管理部２２１の処理と同様である。
【０１７８】
そして、端末情報管理部２２１は、図８（ｂ）に示す画面が表示装置３に表示されているときに決定ボタン２４２に対する入力操作を受信した場合には、当該入力操作を示す録画予約指示情報を録画装置１に送信する。録画装置１の装置制御部１２は、この録画予約指示情報を受信すると、装置情報管理部１２２は、録画予約ボタンおよび戻るボタンに対して設定された機能に対応した画面データを装置記録部１３から読み出す。
【０１７９】
すなわち、装置情報管理部１２２は、録画予約ボタンを反転表示させている場合に決定ボタン２４２に対する入力操作を示す録画予約指示情報を受信したと判断すると、当該録画予約ボタンが選択されたと判定する。そして、装置情報管理部１２２は、図８（ｂ）に示す画面を表示装置３に表示させたときの番組情報を録画予約情報として決定する。一方、装置情報管理部１２２は、戻るボタンを反転表示させている場合に決定ボタン２４２に対する入力操作を示す録画予約指示情報を受信したと判断すると、当該戻るボタンが選択されたと判定し、装置記録部１３から図８（ａ）に示す画面を示す画面データを読み出し、図８（ａ）に示す画面を再び表示装置３に表示させる。
【０１８０】
これにより、Ｇコード入力を用いた場合であっても、ユーザは、個人情報端末２の入力部２４（特に数字ボタン２４３）を操作することによって、録画装置１に録画させたい番組の録画予約を行うことが可能となる。
【０１８１】
次に、録画装置１に接続された表示装置３に表示されたＥＰＧによって録画予約が行われる場合について説明する。録画装置１の装置情報管理部１２２は、チューナ部１４から取得したＥＰＧの画面データを装置記録部１３に保存しておき、当該装置記録部１３から当該画面データを読み出す。そして、装置情報管理部１２２は、図９（ａ）に示すようなＥＰＧの画面を示す画面データを表示装置３に送信することによって、当該ＥＰＧの画面を表示させる。
【０１８２】
個人情報端末２の入力部２４は、表示装置３に表示されたＥＰＧの番組欄から、ユーザが録画装置１に録画させたい番組を選択するための指示を取得する。すなわち、端末情報管理部２２１は、十字カーソルボタン２４１に対する入力操作を示す録画予約指示情報を受信すると、当該録画予約指示情報を録画装置１に送信する。つまり、このときの個人情報端末２は、録画装置１を操作するリモコンと同様の機能を有しているといえる。
【０１８３】
録画装置１の装置制御部１２が個人情報端末２から録画予約指示情報を受信すると、装置情報管理部１２２は、当該録画予約指示情報に基づくＥＰＧの表示画面データを作成し、表示装置３に送信する。なお、装置情報管理部１２２が録画予約指示情報に基づくＥＰＧの表示画面データを作成する処理については上述したので、ここではその説明を省略する。
【０１８４】
ユーザは、図９（ａ）に示す表示装置３において反転表示されている番組が録画装置１に録画させたい番組であることを確認すると、決定ボタン２４２を押下する。決定ボタン２４２が押下されると、端末情報管理部２２１は、当該決定ボタン２４２に対する入力操作を示す録画予約指示情報を受信し、当該録画予約指示情報を録画装置１に送信する。録画装置１の装置制御部１２が決定ボタン２４２に対する入力操作を示す録画予約指示情報を受信すると、装置情報管理部１２２は、図９（ｂ）に示す画面を表示装置３に表示させるためのＥＰＧの画面データを読み出す。そして、装置情報管理部１２２は、このＥＰＧの画面データと図９（ａ）に示すＥＰＧの画面上で反転表示していた番組の番組情報とから表示装置３に表示させる表示画面データを作成し、当該表示画面データを表示装置３に表示させる。
【０１８５】
次に、ユーザは、表示装置３に表示された図９（ｂ）に示す画面の番組情報を確認した場合（選択した番組に間違いがないことを確認した場合）には、十字カーソルボタン２４１を操作することによって、当該画面に表示された録画予約ボタンまたは戻るボタンを選択する。この場合の処理は、十字カーソルボタン２４１に対する入力操作を受信したときの端末情報管理部２２１および装置情報管理部１２２のカーソル（表示装置３に表示された各種ボタンの反転表示）移動に対する処理と同様である。
【０１８６】
そして、端末情報管理部２２１は、図９（ｂ）に示す画面が表示装置３に表示されているときに決定ボタン２４２に対する入力操作を受信した場合には、当該入力操作を示す録画予約指示情報を録画装置１に送信する。録画装置１の装置制御部１２がこの録画予約指示情報を受信すると、装置情報管理部１２２は、録画予約ボタンおよび戻るボタンに対して設定された機能に対応した画面データを装置記録部１３から読み出す。
【０１８７】
すなわち、装置情報管理部１２２は、録画予約ボタンを反転表示させている場合に決定ボタン２４２に対する入力操作を示す録画予約指示情報を受信したと判断すると、当該録画予約ボタンが選択されたと判定する。そして、装置情報管理部１２２は、図９（ｂ）に示す画面を表示装置３に表示させたときの番組情報を録画予約情報として決定する。一方、装置情報管理部１２２は、戻るボタンを反転表示させている場合に決定ボタン２４２に対する入力操作を示す録画予約指示情報を受信したと判断すると、当該戻るボタンが選択されたと判定し、装置記録部１３から図９（ａ）に示す画面を示す画面データを読み出し、図９（ａ）に示す画面を再び表示装置３に表示させる。
【０１８８】
これにより、録画装置１の表示部２５にＥＰＧを表示させた場合であっても、ユーザは、個人情報端末２の入力部２４を操作することによって、録画装置１に録画させたい番組の録画予約を行うことが可能となる。
【０１８９】
〔情報通信システムの再生処理〕
次に、情報通信システム１０の録画装置１と個人情報端末２とにおける再生時の処理の流れについて説明する。図１０は、情報通信システム１０の録画装置１と個人情報端末２とにおける再生時の処理の流れの一例を示すフローチャートである。
【０１９０】
まず、個人情報端末２の端末情報管理部２２１は、端末記録部２３に保存された端末識別情報と入力部２４が取得する録画番組情報表示の指示（録画情報閲覧指示）とを録画装置１に送信する（Ｓ３１）。具体的には、入力部２４は、ユーザが録画した番組を再生させたい場合に、録画した番組のリストを表示装置３に表示させるための録画番組情報表示の指示を取得し、当該指示を端末情報管理部２２１に送信する。端末情報管理部２２１は、録画番組情報表示の指示を受信すると、端末記録部２３に保存された端末識別情報を読み出し、当該録画番組情報表示の指示と端末識別情報とを端末送受信部２１を介して録画装置１に送信する。ここで、録画番組情報表示の指示とは、録画が完了している番組の録画番組情報を表示装置３に表示させるための指示である。また、録画番組情報表示の指示が、録画装置１に送信する端末識別情報に対応付けて保存された録画予約情報のうち、録画が完了している番組の録画予約情報（すなわち録画が完了している番組の、録画予約時点での放送ＣＨ、放送日時および番組名）を表示装置３に表示させるための指示であってもよい。
【０１９１】
録画装置１の装置制御部１２が装置送受信部１１を介して端末識別情報と録画番組情報表示の指示と受信すると、装置情報管理部１２２は、装置記録部１３に保存されたリンク情報において、受信した端末識別情報と一致する端末識別情報にリンクし、かつ録画が完了した番組の録画番組情報または録画予約情報を検索する（Ｓ３２）。そして、装置情報管理部１２２は、検索された録画番組情報または録画予約情報を装置記録部１３から読み出し、当該情報を表示装置３に表示させるための表示画面データを作成し、当該表示画面データを表示装置３に送信する。表示装置３は、この表示画面データに基づく画面表示（録画番組のリスト表示）を行う。すなわち、装置情報管理部１２２は、検索された録画番組情報または録画予約情報を表示装置３に表示させる（Ｓ３３）。これにより、録画装置１は、録画番組情報表示の指示を送信してきた個人情報端末２に対応する録画番組を優先して表示装置３に表示させることができる。すなわち、録画装置１は、ユーザが録画装置１に録画させた番組の情報だけを表示装置３に表示させることができる。
【０１９２】
次に、個人情報端末２は、選択された録画番組の再生指示を録画装置１に送信する（Ｓ３４）。具体的には、ユーザは、表示装置３に表示された録画番組のうち、再生させたい番組を選択するために、十字カーソルボタン２４１および決定ボタン２４２を操作する。具体的には、端末情報管理部２２１は、これらボタンに対する再生のための入力操作を示す再生操作情報を受信すると、当該再生操作情報を録画装置１に送信する。録画装置１の装置制御部１２がこの再生操作情報を受信すると、装置情報管理部１２２は、当該再生操作情報に基づく録画番組情報または録画予約情報を選択し、再生する録画番組を決定する。すなわち、装置情報管理部１２２は、このとき装置制御部１２が受信した決定ボタン２４２に対する入力操作を示す再生操作情報を、選択された録画番組の再生指示と判定する。なお、この再生させたい番組の選択および決定処理は、例えば図９（ａ）に示すＥＰＧの画面からユーザが録画させたい番組を選択し、録画予約するときの処理と同様であるため、ここではその説明を省略する。
【０１９３】
装置情報管理部１２２は、個人情報端末２から再生操作情報を受信して再生する録画番組を決定すると、当該録画番組を装置記録部１３から読み出し、表示装置３に送信する。すなわち、録画装置１は、録画番組を表示装置３に送信することによって、上記再生指示を受けた録画番組を再生する（Ｓ３５）。
【０１９４】
以上より、ユーザは、表示装置３に表示された録画番組のリストから、十字カーソルボタン２４１を操作することにより再生させたい番組を選択し、当該再生させたい番組が反転表示されているときに決定ボタン２４２を押下することによって、当該再生させたい番組を録画装置１に認識させることができる。これにより、録画装置１は、個人情報端末２からの再生指示に基づいて、ユーザが再生を所望する番組を再生させることができる。
【０１９５】
〔補足〕
最後に、本実施形態に係る録画装置１の各ブロック、特に識別情報受信判定部１２１、装置情報管理部１２２、および本実施形態に係る個人情報端末２の各ブロック、特に端末情報管理部２２１は、ハードウェアロジックによって構成してもよいし、次のようにＣＰＵを用いてソフトウェアによって実現してもよい。
【０１９６】
すなわち、本実施形態に係る録画装置１および個人情報端末２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである録画装置１および個人情報端末２の制御プログラムのプログラムコード（実行形式プログラム、中間コードプログラム、ソースプログラム）をコンピュータで読み取り可能に記録した記録媒体を、上記録画装置１および個人情報端末２に供給し、そのコンピュータ（またはＣＰＵやＭＰＵ）が記録媒体に記録されているプログラムコードを読み出し実行することによっても、達成可能である。
【０１９７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９８】
また、本実施形態に係る録画装置１および個人情報端末２を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話機網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１９９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２００】
〔本発明の別の表現〕
なお、本発明は、以下のようにも表現できる。
【０２０１】
すなわち、本発明に係る録画装置は、番組の録画予約情報とともに、録画予約者の個人識別情報を受け付け、番組を録画し、録画予約情報あるいは録画番組情報と、端末識別情報を対応づけて記録する録画装置において、録画予約情報を送信する個人情報端末に対して、記録装置が端末識別情報を付与することを特徴としている。
【０２０２】
また、上記録画装置において、録画装置は録画装置固有の装置識別番号を個人情報端末に送信し、個人情報端末は、装置識別番号と一致する録画装置に対応する端末識別番号と録画予約情報を録画装置に送信することが好ましい。
【０２０３】
本発明に係る録画装置は、番組の録画予約情報とともに、録画予約者の個人識別情報を受け付け、番組を録画し、録画予約情報あるいは録画番組情報と、個人識別情報を対応づけて記録する録画装置において、個人情報端末は利用者が書き換えることのできない、端末固有の識別番号を有することを特徴とし、端末固有の識別番号を、端末固有情報とすることを特徴としている。
【０２０４】
また、上記録画装置において、個人情報端末は携帯電話機であり、端末固有の識別番号は、該携帯電話機の電話番号であることが好ましい。
【０２０５】
また、上記録画装置において、個人情報端末の端末固有の識別番号を暗号化して記録装置に記録することが好ましい。
【０２０６】
また、上記録画装置において、複数の個人識別情報に対して、１つの個人識別補足情報を対応づけすることが好ましい。
【産業上の利用可能性】
【０２０７】
本発明に係る録画装置は、ユーザの利用する個人情報端末を識別して、当該ユーザが必要とする録画予約情報だけを当該ユーザに認識させることを容易に行うことができる。従って、本発明に係る録画装置は、当該録画装置と通信可能で、かつユーザが携帯可能な携帯電話機、モバイルＰＣ、ＰＤＡ（personal digital assistance）等の携帯端末を用いて操作されるハードディスク、ＤＶＤ、Ｂｌｕ−ｒａｙ  Ｄｉｓｃ等の大容量の記録媒体を用いた録画装置に適用可能である。
【図面の簡単な説明】
【０２０８】
【図１】本発明に係る情報通信システムの録画装置および個人情報端末の概略構成を示すブロック図である。
【図２】図１に示す録画装置と、該録画装置と通信を行う個人情報端末とを含む情報通信システムの概略構成を示す図である。
【図３】図１に示す情報通信システムの録画装置と個人情報端末とにおける録画時の処理の流れの一例を示すフローチャートである。
【図４】図１に示す録画装置の装置記録部に保存されるリンク情報の保存形式の一例を示す予約管理テーブルを示す図である。
【図５】図１に示す表示装置に表示される予約番組リストの一例を示す図である。
【図６】図１に示す表示装置に表示される予約番組リストの別の一例を示す図である。
【図７】図１に示す個人情報端末の表示部に表示されたｉＥＰＧによって録画予約が行われる場合の画面遷移を示す図である。
【図８】図１に示す個人情報端末の表示部に表示されたＧコード入力画面によって録画予約が行われる場合の当該表示部における表示画面と図１に示す表示装置における表示画面を示す図である。
【図９】図１に示す録画装置に接続された表示装置に表示されたＥＰＧによって録画予約が行われる場合の画面遷移を示す図である。
【図１０】図１に示す情報通信システムの録画装置と個人情報端末とにおける再生時の処理の流れの一例を示すフローチャートである。
【符号の説明】
【０２０９】
１      録画装置（記録装置）
２      個人情報端末（情報端末）
１０    情報通信システム
１１    装置送受信部（装置受信手段）
２１    端末送受信部（端末受信手段）
２４    入力部（入力手段）
１２１  識別情報受信判定部（受信判定手段）
１２２  装置情報管理部（設定手段、装置管理手段）
２２１  端末情報管理部（端末管理手段）
【図１】
2010028476.tif 000003
【図２】
2010028476.tif 000004
【図３】
2010028476.tif 000005
【図４】
2010028476.tif 000006
【図５】
2010028476.tif 000007
【図６】
2010028476.tif 000008
【図７】
2010028476.tif 000009
【図８】
2010028476.tif 000010
【図９】
2010028476.tif 000011
【図１０】
2010028476.tif 000012
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
番組を予約記録するための予約情報に基づいて該番組を記録する記録装置であって、
自装置と通信可能な情報端末から上記予約情報または上記予約情報を決定するための指示を示す予約指示情報を受信する装置受信手段と、
上記装置受信手段が受信した予約情報または上記予約指示情報により決定される予約情報に対して、上記情報端末を識別するための端末識別情報を設定する設定手段と、
上記設定手段が設定した端末識別情報と上記予約情報とを対応付けて管理する装置管理手段と、を備えたことを特徴とする記録装置。
【請求項２】
上記装置受信手段が上記予約情報または上記予約指示情報と共に、上記設定手段によって設定された上記端末識別情報を上記情報端末から受信したか否かを判定する受信判定手段を、さらに備え、
上記設定手段は、上記受信判定手段が上記端末識別情報を受信していないと判定した場合に、上記装置受信手段が受信した予約情報または上記予約指示情報により決定される予約情報に対して未使用の端末識別情報を設定し、当該端末識別情報を上記情報端末に送信することを特徴とする請求項１に記載の記録装置。
【請求項３】
上記装置管理手段は、上記記録装置を示す固有の情報である装置識別情報の送信指示を上記情報端末から受信した場合には、該装置識別情報を該情報端末に送信することを特徴とする請求項１または２に記載の記録装置。
【請求項４】
上記装置管理手段は、上記装置受信手段がユーザが書き換え不可能な上記情報端末を示す固有の情報である端末固有情報を受信した場合には、該端末固有情報を上記端末識別情報として上記予約情報と対応付けて管理することを特徴とする請求項１〜３のいずれか１項に記載の記録装置。
【請求項５】
上記情報端末は携帯電話機であり、
上記装置受信手段が受信する上記端末固有情報が、上記情報端末の電話番号であることを特徴とする請求項４に記載の記録装置。
【請求項６】
上記装置管理手段は、上記端末固有情報を暗号化して管理することを特徴とする請求項４または５に記載の記録装置。
【請求項７】
上記装置管理手段は、上記装置受信手段が上記情報端末を利用するユーザに関する情報である個人識別情報を受信した場合には、該個人識別情報と上記予約情報とを対応付けて管理することを特徴とする請求項１〜６のいずれか１項に記載の記録装置。
【請求項８】
上記装置管理手段は、上記予約情報を上記端末識別情報毎に、自装置に接続された表示装置に表示させることを特徴とする請求項１〜７のいずれか１項に記載の記録装置。
【請求項９】
番組を予約記録するための予約情報に基づいて該番組を記録する記録装置の制御方法であって、
自装置と通信可能な情報端末から上記予約情報または上記予約情報を決定するための指示を示す予約指示情報を受信する装置受信ステップと、
上記装置受信ステップにて受信した予約情報または上記予約指示情報により決定される予約情報に対して、上記情報端末を識別するための端末識別情報を設定する設定ステップと、
上記設定ステップにて設定した端末識別情報と上記予約情報とを対応付けて管理する装置管理ステップと、を含むことを特徴とする記録装置の制御方法。
【請求項１０】
請求項１〜８のいずれか１項に記載の記録装置と通信可能な情報端末であって、
上記記録装置に送信するための、上記予約情報または上記予約情報を決定させるための指示を示す予約指示情報を、ユーザの入力操作によって取得する入力手段と、
上記記録装置によって設定された端末識別情報を受信する端末受信手段と、
上記端末受信手段が受信した上記端末識別情報と、上記入力手段が取得した上記予約情報または上記予約指示情報とを上記記録装置に送信するように管理する端末管理手段と、を備えたことを特徴とする情報端末。
【請求項１１】
上記端末管理手段は、上記記録装置を示す固有の情報である装置識別情報の送信指示に対する装置識別情報を送信した上記記録装置に対して、上記予約情報または上記予約指示情報を送信することを特徴とする請求項１０に記載の情報端末。
【請求項１２】
上記端末管理手段は、ユーザが書き換え不可能な自端末を示す固有の情報である端末固有情報を有している場合には、該端末固有情報を上記記録装置に送信するように管理することを特徴とする請求項１０または１１に記載の情報端末。
【請求項１３】
上記端末固有情報として電話番号を有する携帯電話機であることを特徴とする請求項１２に記載の情報端末。
【請求項１４】
上記端末管理手段は、上記入力手段が上記情報端末を利用するユーザに関する情報である個人識別情報を取得した場合には、該個人識別情報を上記記録装置に送信するように管理することを特徴とする請求項１０〜１３のいずれか１項に記載の情報端末。
【請求項１５】
上記請求項１〜８のいずれか１項に記載の記録装置と、
上記請求項１０〜１４のいずれか１項に記載の情報端末と、を備えたことを特徴とする情報通信システム。
【請求項１６】
コンピュータを請求項１〜８のいずれか１項に記載の記録装置の各手段として機能させるための記録装置の制御プログラム。
【請求項１７】
請求項１６に記載の記録装置の制御プログラムを記録したコンピュータ読取可能な記録媒体。